(57)【要約】ワイヤレスシステムにおけるページングの手順のための方法および装置が、本明細書において記述されている。たとえば、ワイヤレス送信受信ユニット（ＷＴＲＵ）が、第１のビームトラッキングエリア（ＢＴＡ）に対応する同期信号（ＳＳ）ブロックの第１のサブセットに関連付けられているページングリソースに関して１つまたは複数の物理ダウンリンク制御チャネル（ＰＤＣＣＨ）をモニタすることが可能である。ＳＳブロックの第１のサブセットに関連付けられている少なくとも１つのビームの少なくとも１つの測定値が所定のしきい値未満であるという条件で、ＷＴＲＵは、ＳＳブロックの第２のサブセットに関連付けられている第２のＢＴＡを示す信号を基地局（ＢＳ）へ送信することが可能である。その信号は、第２のＢＴＡに対応するＳＳブロックの第２のグループに関連付けられている物理ランダムアクセスチャネル（ＰＲＡＣＨ）リソースを含む。
2020519130.tif 000002
【特許請求の範囲】
【請求項１】
ワイヤレス送信受信ユニット（ＷＴＲＵ）において用いる方法であって、
第１のビームトラッキングエリア（ＢＴＡ）に対応する同期信号（ＳＳ）ブロックの第１のサブセットに関連付けられているページングリソースに関して１つまたは複数の物理ダウンリンク制御チャネル（ＰＤＣＣＨ）をモニタすることと、
ＳＳブロックの前記第１のサブセットに関連付けられている少なくとも１つのビームの少なくとも測定値が所定のしきい値未満であるという条件で、基地局（ＢＳ）へ、ＳＳブロックの第２のサブセットに関連付けられている第２のＢＴＡを示す信号を送信することと
を含み、
ＳＳブロックのセットは、ＳＳブロックの前記第１のサブセットおよびＳＳブロックの前記第２のサブセットを含む、方法。
【請求項２】
前記ＢＳから、ＳＳブロックの前記セットをそれぞれのＢＴＡに関連付けるＢＴＡの構成を受信することと、
ＳＳブロックの前記セットに関連付けられている少なくともビームの少なくとも測定値に基づいて、ＳＳブロックの前記第１のサブセットにおける第１のＳＳブロックを選択することと、
ＢＴＡの前記構成に基づいて、ＳＳブロックの前記第１のサブセットに関連付けられている前記第１のＢＴＡを特定することと
をさらに含む、請求項１に記載の方法。
【請求項３】
前記信号は、前記第２のＢＴＡに対応するＳＳブロックの前記第２のサブセットに関連付けられている物理ランダムアクセスチャネル（ＰＲＡＣＨ）リソースを含む、請求項１に記載の方法。
【請求項４】
ＳＳブロックの前記セットに関連付けられている少なくとも１つのビームの少なくとも１つの測定値に基づいて、ＳＳブロックの前記第２のサブセットにおける第２のＳＳブロックを特定することと、
所定の構成に基づいて、前記第２のＢＴＡに関連付けられている前記ＰＲＡＣＨリソースを選択することと
をさらに含む、請求項１に記載の方法。
【請求項５】
ＳＳブロックの前記セットにおけるＳＳセットは、前記ＳＳブロックに関連付けられている、プライマリー同期信号（ＰＳＳ）、セカンダリー同期信号（ＳＳＳ）および物理ブロードキャスティングチャネル（ＰＢＣＨ）を含む、請求項１に記載の方法。
【請求項６】
前記ＳＳブロックに関連付けられている前記ＰＢＣＨを介して、前記ＳＳブロックの構成を含むマスター情報ブロック（ＭＩＢ）を受信すること
をさらに含む、請求項５に記載の方法。
【請求項７】
前記ＳＳブロックの前記構成はＳＳブロック番号を含む、請求項６に記載の方法。
【請求項８】
前記ＢＳから、前記第２のＢＴＡに関連付けられている１つまたは複数のページングリソースを受信することと、
前記ＢＳから、前記１つまたは複数のページングリソースに基づいて、ページングメッセージを受信することと
をさらに含む、請求項１に記載の方法。
【請求項９】
前記１つまたは複数のページングリソースは１つまたは複数のダウンリンク制御情報（ＤＣＩ）に含まれている、請求項８に記載の方法。
【請求項１０】
前記第２のＢＴＡを示す前記信号は、ＰＲＡＣＨプリアンブルである、請求項１に記載の方法。
【請求項１１】
ワイヤレス送信受信ユニット（ＷＴＲＵ）であって、
第１のビームトラッキングエリア（ＢＴＡ）に対応する同期信号（ＳＳ）ブロックの第１のサブセットに関連付けられているページングリソースに関して１つまたは複数の物理ダウンリンク制御チャネル（ＰＤＣＣＨ）をモニタするように構成されたプロセッサと、
ＳＳブロックの前記第１のサブセットに関連付けられている少なくとも１つのビームの少なくとも１つの測定値が所定のしきい値未満であるという条件で、基地局（ＢＳ）へ、ＳＳブロックの第２のサブセットに関連付けられている第２のＢＴＡを示す信号を送信するように構成された送信機と
を備え、
ＳＳブロックのセットは、ＳＳブロックの前記第１のサブセットおよびＳＳブロックの前記第２のサブセットを含む、ＷＴＲＵ。
【請求項１２】
前記ＢＳから、ＳＳブロックの前記セットをそれぞれのＢＴＡに関連付けるＢＴＡの構成を受信するように構成された受信機をさらに備え、
前記プロセッサは、
ＳＳブロックの前記セットに関連付けられている少なくとも１つのビームの少なくとも１つの測定値に基づいて、ＳＳブロックの前記第１のサブセットにおける第１のＳＳブロックを選択し、
ＢＴＡの前記構成に基づいて、ＳＳブロックの前記第１のサブセットに関連付けられている前記第１のＢＴＡを特定する
ようにさらに構成されている、請求項１１に記載のＷＴＲＵ。
【請求項１３】
前記信号は、前記第２のＢＴＡに対応するＳＳブロックの前記第２のサブセットに関連付けられている物理ランダムアクセスチャネル（ＰＲＡＣＨ）リソースを含む、請求項１１に記載のＷＴＲＵ。
【請求項１４】
前記プロセッサは、
ＳＳブロックの前記セットに関連付けられている少なくとも１つのビームの少なくとも１つの測定値に基づいて、ＳＳブロックの前記第２のサブセットにおける第２のＳＳブロックを特定し、
所定の構成に基づいて、前記第２のＢＴＡに関連付けられている前記ＰＲＡＣＨリソースを選択する
ようにさらに構成されている、請求項１１に記載のＷＴＲＵ。
【請求項１５】
ＳＳブロックの前記セットにおけるＳＳセットは、前記ＳＳブロックに関連付けられている、プライマリー同期信号（ＰＳＳ）、セカンダリー同期信号（ＳＳＳ）および物理ブロードキャスティングチャネル（ＰＢＣＨ）を含む、請求項１１に記載のＷＴＲＵ。
【請求項１６】
前記ＳＳブロックに関連付けられている前記ＰＢＣＨを介して、前記ＳＳブロックの構成を含むマスター情報ブロック（ＭＩＢ）を受信するように構成された受信機
をさらに備えた、請求項１５に記載のＷＴＲＵ。
【請求項１７】
前記ＳＳブロックの前記構成はＳＳブロック番号を含む、請求項１６に記載のＷＴＲＵ。
【請求項１８】
前記ＢＳから、前記第２のＢＴＡに関連付けられている１つまたは複数のページングリソースを受信し、
前記ＢＳから、前記１つまたは複数のページングリソースに基づいて、ページングメッセージを受信する
ように構成された受信機をさらに備えた、請求項１１に記載のＷＴＲＵ。
【請求項１９】
前記１つまたは複数のページングリソースは１つまたは複数のダウンリンク制御情報（ＤＣＩ）に含まれている、請求項１８に記載のＷＴＲＵ。
【請求項２０】
前記第２のＢＴＡを示す前記信号は、ＰＲＡＣＨプリアンブルである、請求項１１に記載のＷＴＲＵ。
【発明の詳細な説明】
【技術分野】
【０００１】
本出願は、新無線（ＮＲ）におけるページングの手順のための方法および装置に関する。
【背景技術】
【０００２】
関連出願の相互参照
本出願は、２０１７年６月１４日に出願された米国特許仮出願第６２／５１９，６９９号明細書、および２０１７年５月３日に出願された米国特許仮出願第６２／５００，７０６号明細書の利益を主張するものであり、それらの内容は、参照によって本明細書に組み込まれている。
【０００３】
５Ｇ新無線（ＮＲ）においては、高いデータレートの要件を満たすために、６ＧＨｚを上回る周波数スペクトルが、大きな帯域幅を活用する目的で使用することを合意されている。これらの６ＧＨｚを上回る周波数を使用することにおける難題のうちの１つは、より高い周波数におけるさらに高いフリースペースパスロスに起因する、特に屋外環境における著しい伝搬ロスかもしれない。ＮＲにおいては、より高い周波数における著しいパスロスに対処するために、ビーム中心のシステムが採用されている。なぜなら、それは、送信電力を増大させることなくパスロスを補償することができるからである。たとえば、複数のビームが、最初のアクセスおよびその後のページングの手順のために使用されることが可能である。しかしながら、既存のページングチャネルは、ビーム中心のシステムに基づいて設計されていない。その上、別々のページングチャネルリソースが既存のページングチャネルにおいて複数のビームとともに送信されることは不可能である。したがって、ビーム中心のシステムにおける複数のワイヤレス送信／受信ユニット（ＷＴＲＵ）のためのページングメッセージの多重送信をサポートする方法および装置を有することが望ましいであろう。
【発明の概要】
【０００４】
ワイヤレスシステムにおけるページングの手順のための方法および装置が、本明細書において記述されている。たとえば、ワイヤレス送信受信ユニット（ＷＴＲＵ）が、同期信号（ＳＳ）ブロックのセットをそれぞれのビームトラッキングエリア（ＢＴＡ）に関連付けるＢＴＡの構成を基地局（ＢＳ）から受信することが可能である。ＷＴＲＵは、ＳＳブロックのセットに関連付けられている少なくとも１つのビームの少なくとも１つの測定値に基づいて、ＳＳブロックの第１のサブセットにおける第１のＳＳブロックを選択することが可能である。ＷＴＲＵは、ＢＴＡの構成に基づいて、ＳＳブロックの第１のサブセットに関連付けられている第１のＢＴＡを特定することが可能である。ＷＴＲＵは次いで、第１のＢＴＡに対応するＳＳブロックの第１のサブセットに関連付けられているページングリソースに関して１つまたは複数の物理ダウンリンク制御チャネル（ＰＤＣＣＨ）をモニタすることが可能である。ＳＳブロックの第１のサブセットに関連付けられている少なくとも１つのビームの少なくとも１つの測定値が所定のしきい値未満であるという条件で、ＷＴＲＵは、ＳＳブロックの第２のサブセットに関連付けられている第２のＢＴＡを示す信号を基地局（ＢＳ）へ送信することが可能である。その信号は、第２のＢＴＡに対応するＳＳブロックの第２のサブセットに関連付けられている物理ランダムアクセスチャネル（ＰＲＡＣＨ）リソースを含むことが可能である。ＳＳブロックのセットは、ＳＳブロックの第１のサブセットおよびＳＳブロックの第２のサブセットを含むことが可能である。ＳＳブロックのセットにおけるＳＳブロックは、そのＳＳブロックに関連付けられているプライマリー同期信号（ＰＳＳ）、セカンダリー同期信号（ＳＳＳ）、および物理ブロードキャスティングチャネル（ＰＢＣＨ）を含むことが可能である。
【図面の簡単な説明】
【０００５】
例として添付の図面とともに与えられている以降の説明から、より詳細な理解が得られることが可能である。
【０００６】
【図１Ａ】１つまたは複数の開示されている実施形態が実施されることが可能である例示的な通信システムを示すシステム図である。
【図１Ｂ】実施形態による、図１Ａにおいて示されている通信システム内で使用されることが可能である例示的なワイヤレス送信／受信ユニット（ＷＴＲＵ）を示すシステム図である。
【図１Ｃ】実施形態による、図１Ａにおいて示されている通信システム内で使用されることが可能である例示的な無線アクセスネットワーク（ＲＡＮ）および例示的なコアネットワーク（ＣＮ）を示すシステム図である。
【図１Ｄ】実施形態による、図１Ａにおいて示されている通信システム内で使用されることが可能であるさらなる例示的なＲＡＮおよびさらなる例示的なＣＮを示すシステム図である。
【図２Ａ】ハイパーフレーム（ＨＦ）に関するタイミングの例を示す図である。
【図２Ｂ】ハイパーフレーム内でのページングの例を示す図である。
【図３】ＳＳバースト内の同期信号（ＳＳ）ブロックの例を示す図である。
【図４】新無線物理ダウンリンク制御チャネル（ＮＲ−ＰＤＣＣＨ）および新無線物理ダウンリンク制御チャネル（ＮＲ−ＰＤＳＣＨ）に関する関連付けタイプの例を示す図である。
【図５】ＳＳバーストにおけるＳＳブロックどうしの間でのクアジコロケーション（ＱＣＬ）関連付けの例を示す図である。
【図６】ＳＳバーストにおけるページングモニタリングに関するビームトラッキングエリア（ＢＴＡ）の例を示す図である。
【図７】ＳＳバーストにおけるページングモニタリングに関するＢＴＡの別の例を示す図である。
【図８】ページングモニタリングに関するＢＴＡを更新するための例示的な手順を示す図である。
【発明を実施するための形態】
【０００７】
図１Ａは、１つまたは複数の開示されている実施形態が実施されることが可能である例示的な通信システム１００を示す図である。通信システム１００は、コンテンツ、たとえば、音声、データ、ビデオ、メッセージング、放送などを複数のワイヤレスユーザに提供するマルチプルアクセスシステムであることが可能である。通信システム１００は、複数のワイヤレスユーザが、ワイヤレス帯域幅を含むシステムリソースの共有を通じてそのようなコンテンツにアクセスすることを可能にすることができる。たとえば、通信システム１００は、１つまたは複数のチャネルアクセス方法、たとえば、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ−Ｓｐｒｅａｄ  ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロックフィルタードＯＦＤＭ、フィルタバンクマルチキャリア（ＦＢＭＣ）などを採用することが可能である。
【０００８】
図１Ａにおいて示されているように、通信システム１００は、ワイヤレス送信／受信ユニット（ＷＴＲＵ）１０２ａ、１０２ｂ、１０２ｃ、１０２ｄ、ＲＡＮ１０４／１１３、ＣＮ１０６／１１５、公衆交換電話ネットワーク（ＰＳＴＮ）１０８、インターネット１１０、およびその他のネットワーク１１２を含むことが可能であるが、開示されている実施形態は、任意の数のＷＴＲＵ、基地局、ネットワーク、および／またはネットワーク要素を想定しているということが理解されるであろう。ＷＴＲＵ１０２ａ、１０２ｂ、１０２ｃ、１０２ｄのそれぞれは、ワイヤレス環境において動作および／または通信するように構成されている任意のタイプのデバイスであることが可能である。例として、ＷＴＲＵ１０２ａ、１０２ｂ、１０２ｃ、１０２ｄ（これらのいずれも、「ステーション」および／または「ＳＴＡ」と呼ばれることが可能である）は、ワイヤレス信号を送信および／または受信するように構成されることが可能であり、ユーザ機器（ＵＥ）、移動局、固定式または移動式のサブスクライバーユニット、サブスクリプションベースのユニット、ページャー、セルラー電話、携帯情報端末（ＰＤＡ）、スマートフォン、ラップトップ、ネットブック、パーソナルコンピュータ、ワイヤレスセンサ、ホットスポットまたはＭｉ−Ｆｉデバイス、インターネットオブシングス（ＩｏＴ）デバイス、腕時計またはその他のウェアラブル、ヘッドマウントディスプレイ（ＨＭＤ）、乗り物、ドローン、医療デバイスおよびアプリケーション（たとえば、遠隔手術）、工業デバイスおよびアプリケーション（たとえば、工業および／または自動化された処理チェーンのコンテキストにおいて動作するロボットおよび／またはその他のワイヤレスデバイス）、家庭用電子機器、商業および／または工業ワイヤレスネットワーク上で動作するデバイスなどを含むことが可能である。ＷＴＲＵ１０２ａ、１０２ｂ、１０２ｃ、および１０２ｄのいずれも、ＵＥと言い換え可能に呼ばれることが可能である。
【０００９】
通信システム１００は、基地局１１４ａおよび／または基地局１１４ｂを含むことも可能である。基地局１１４ａ、１１４ｂのそれぞれは、１つまたは複数の通信ネットワーク、たとえば、ＣＮ１０６／１１５、インターネット１１０、および／またはその他のネットワーク１１２へのアクセスを容易にするために、ＷＴＲＵ１０２ａ、１０２ｂ、１０２ｃ、１０２ｄのうちの少なくとも１つとワイヤレスにインターフェース接続するように構成されている任意のタイプのデバイスであることが可能である。例として、基地局１１４ａ、１１４ｂは、ベーストランシーバステーション（ＢＴＳ）、Ｎｏｄｅ−Ｂ、ｅＮｏｄｅ  Ｂ、ホームＮｏｄｅ  Ｂ、ホームｅＮｏｄｅ  Ｂ、ｇＮＢ、ＮＲ  ＮｏｄｅＢ、サイトコントローラ、アクセスポイント（ＡＰ）、ワイヤレスルータなどであることが可能である。基地局１１４ａ、１１４ｂは、それぞれ単一の要素として示されているが、基地局１１４ａ、１１４ｂは、任意の数の相互接続された基地局および／またはネットワーク要素を含むことが可能であるということが理解されるであろう。
【００１０】
基地局１１４ａは、ＲＡＮ１０４／１１３の一部であることが可能であり、ＲＡＮ１０４／１１３は、その他の基地局および／またはネットワーク要素（図示せず）、たとえば、基地局コントローラ（ＢＳＣ）、無線ネットワークコントローラ（ＲＮＣ）、中継ノードなどを含むことも可能である。基地局１１４ａおよび／または基地局１１４ｂは、１つまたは複数のキャリア周波数上でワイヤレス信号を送信および／または受信するように構成されることが可能であり、それらのキャリア周波数は、セル（図示せず）と呼ばれることが可能である。これらの周波数は、ライセンス供与されているスペクトル、ライセンス供与されていないスペクトル、またはライセンス供与されているスペクトルと、ライセンス供与されていないスペクトルとの組合せであることが可能である。セルは、比較的固定されることが可能である、または時間とともに変わることが可能である特定の地理的エリアへのワイヤレスサービスのためのカバレッジを提供することが可能である。セルは、セルセクタへとさらに分割されることが可能である。たとえば、基地局１１４ａに関連付けられているセルは、３つのセクタへと分割されることが可能である。したがって一実施形態においては、基地局１１４ａは、３つのトランシーバ、すなわち、セルのそれぞれのセクタごとに１つのトランシーバを含むことが可能である。実施形態においては、基地局１１４ａは、多入力多出力（ＭＩＭＯ）テクノロジーを採用することが可能であり、セルのそれぞれのセクタごとに複数のトランシーバを利用することが可能である。たとえば、所望の空間方向において信号を送信および／または受信するためにビームフォーミングが使用されることが可能である。
【００１１】
基地局１１４ａ、１１４ｂは、エアインターフェース１１６を介してＷＴＲＵ１０２ａ、１０２ｂ、１０２ｃ、１０２ｄのうちの１つまたは複数と通信することが可能であり、エアインターフェース１１６は、任意の適切なワイヤレス通信リンク（たとえば、無線周波数（ＲＦ）、マイクロ波、センチメートル波、マイクロメートル波、赤外線（ＩＲ）、紫外線（ＵＶ）、可視光など）であることが可能である。エアインターフェース１１６は、任意の適切な無線アクセステクノロジー（ＲＡＴ）を使用して確立されることが可能である。
【００１２】
より具体的には、上述されているように、通信システム１００は、マルチプルアクセスシステムであることが可能であり、１つまたは複数のチャネルアクセススキーム、たとえば、ＣＤＭＡ、ＴＤＭＡ、ＦＤＭＡ、ＯＦＤＭＡ、ＳＣ−ＦＤＭＡなどを採用することが可能である。たとえば、ＲＡＮ１０４／１１３における基地局１１４ａ、およびＷＴＲＵ１０２ａ、１０２ｂ、１０２ｃは、ユニバーサルモバイルテレコミュニケーションズシステム（ＵＭＴＳ）テレストリアルラジオアクセス（ＵＴＲＡ）などの無線テクノロジーを実施することが可能であり、この無線テクノロジーは、ワイドバンドＣＤＭＡ（ＷＣＤＭＡ）を使用してエアインターフェース１１５／１１６／１１７を確立することが可能である。ＷＣＤＭＡは、ハイスピードパケットアクセス（ＨＳＰＡ）および／またはエボルブドＨＳＰＡ（ＨＳＰＡ＋）などの通信プロトコルを含むことが可能である。ＨＳＰＡは、ハイスピードダウンリンク（ＤＬ）パケットアクセス（ＨＳＤＰＡ）および／またはハイスピードＵＬパケットアクセス（ＨＳＵＰＡ）を含むことが可能である。
【００１３】
実施形態においては、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインターフェース１１６を確立することが可能であるエボルブドＵＭＴＳテレストリアルラジオアクセス（Ｅ−ＵＴＲＡ）などの無線テクノロジーを実施することが可能である。
【００１４】
実施形態においては、基地局１１４ａおよびＷＴＲＵ１０２ａ、１０２ｂ、１０２ｃは、新無線（ＮＲ）を使用してエアインターフェース１１６を確立することが可能であるＮＲ無線アクセスなどの無線テクノロジーを実施することが可能である。
【００１５】
実施形態においては、基地局１１４ａおよびＷＴＲＵ１０２ａ、１０２ｂ、１０２ｃは、複数の無線アクセステクノロジーを実施することが可能である。たとえば、基地局１１４ａおよびＷＴＲＵ１０２ａ、１０２ｂ、１０２ｃは、たとえばデュアル接続（ＤＣ）原理を使用して、ＬＴＥ無線アクセスおよびＮＲ無線アクセスをともに実施することが可能である。したがって、ＷＴＲＵ１０２ａ、１０２ｂ、１０２ｃによって利用されるエアインターフェースは、複数のタイプの無線アクセステクノロジー、および／または複数のタイプの基地局（たとえば、ｅＮＢおよびｇＮＢ）へ／から送られる送信によって特徴付けられることが可能である。
【００１６】
その他の実施形態においては、基地局１１４ａおよびＷＴＲＵ１０２ａ、１０２ｂ、１０２ｃは、無線テクノロジー、たとえば、ＩＥＥＥ８０２．１１（すなわち、ワイヤレスフィディリティー（ＷｉＦｉ）、ＩＥＥＥ８０２．１６（すなわち、ワールドワイドインターオペラビリティーフォーマイクロウェーブアクセス（ＷｉＭＡＸ））、ＣＤＭＡ２０００、ＣＤＭＡ２０００  １Ｘ、ＣＤＭＡ２０００ＥＶ−ＤＯ、暫定標準２０００（ＩＳ−２０００）、暫定標準９５（ＩＳ−９５）、暫定標準８５６（ＩＳ−８５６）、グローバルシステムフォーモバイルコミュニケーションズ（ＧＳＭ）、エンハンストデータレートフォーＧＳＭエボリューション（ＥＤＧＥ）、ＧＳＭ  ＥＤＧＥ（ＧＥＲＡＮ）などを実施することが可能である。
【００１７】
図１Ａにおける基地局１１４ｂは、たとえば、ワイヤレスルータ、ホームＮｏｄｅ  Ｂ、ホームｅＮｏｄｅ  Ｂ、またはアクセスポイントであることが可能であり、局所的なエリア、たとえば、事業所、家庭、乗り物、キャンパス、工業施設、空中回廊（たとえば、ドローンによる使用のための）、車道などにおけるワイヤレス接続を容易にするために、任意の適切なＲＡＴを利用することが可能である。一実施形態においては、基地局１１４ｂおよびＷＴＲＵ１０２ｃ、１０２ｄは、ワイヤレスローカルエリアネットワーク（ＷＬＡＮ）を確立するために、ＩＥＥＥ８０２．１１などの無線テクノロジーを実施することが可能である。実施形態においては、基地局１１４ｂおよびＷＴＲＵ１０２ｃ、１０２ｄは、ワイヤレスパーソナルエリアネットワーク（ＷＰＡＮ）を確立するために、ＩＥＥＥ８０２．１５などの無線テクノロジーを実施することが可能である。さらに別の実施形態においては、基地局１１４ｂおよびＷＴＲＵ１０２ｃ、１０２ｄは、ピコセルまたはフェムトセルを確立するために、セルラーベースのＲＡＴ（たとえば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用することが可能である。図１Ａにおいて示されているように、基地局１１４ｂは、インターネット１１０への直接接続を有することが可能である。したがって基地局１１４ｂは、ＣＮ１０６／１１５を介してインターネット１１０にアクセスすることを求められないことが可能である。
【００１８】
ＲＡＮ１０４／１１３は、ＣＮ１０６／１１５と通信状態にあることが可能であり、ＣＮ１０６／１１５は、音声、データ、アプリケーション、および／またはボイスオーバーインターネットプロトコル（ＶｏＩＰ）サービスをＷＴＲＵ１０２ａ、１０２ｂ、１０２ｃ、１０２ｄのうちの１つまたは複数に提供するように構成されている任意のタイプのネットワークであることが可能である。データは、さまざまなサービス品質（ＱｏＳ）要件、たとえば、別々のスループット要件、待ち時間要件、エラー許容範囲要件、信頼性要件、データスループット要件、モビリティー要件などを有することが可能である。ＣＮ１０６／１１５は、コール制御、料金請求サービス、モバイルロケーションベースサービス、プリペイドコーリング、インターネット接続、ビデオ配信などを提供すること、および／またはハイレベルセキュリティー機能、たとえばユーザ認証を実行することが可能である。図１Ａにおいては示されていないが、ＲＡＮ１０４／１１３および／またはＣＮ１０６／１１５は、ＲＡＮ１０４／１１３と同じＲＡＴまたは異なるＲＡＴを採用しているその他のＲＡＮと直接または間接の通信状態にあることが可能であるということが理解されるであろう。たとえば、ＣＮ１０６／１１５は、ＮＲ無線テクノロジーを利用していることが可能であるＲＡＮ１０４／１１３に接続されていることに加えて、ＧＳＭ、ＵＭＴＳ、ＣＤＭＡ２０００、ＷｉＭＡＸ、Ｅ−ＵＴＲＡ、またはＷｉＦｉ無線テクノロジーを採用している別のＲＡＮ（図示せず）と通信状態にあることも可能である。
【００１９】
ＣＮ１０６／１１５は、ＷＴＲＵ１０２ａ、１０２ｂ、１０２ｃ、１０２ｄがＰＳＴＮ１０８、インターネット１１０、および／またはその他のネットワーク１１２にアクセスするためのゲートウェイとしての役割を果たすことも可能である。ＰＳＴＮ１０８は、単純旧式電話サービス（ＰＯＴＳ）を提供する回線交換電話ネットワークを含むことが可能である。インターネット１１０は、一般的な通信プロトコル、たとえば、トランスミッション制御プロトコル（ＴＣＰ）／インターネットプロトコル（ＩＰ）インターネットプロトコルスイートにおけるＴＣＰ、ユーザデータグラムプロトコル（ＵＤＰ）、および／またはＩＰを使用する相互接続されたコンピュータネットワークおよびデバイスからなるグローバルシステムを含むことが可能である。ネットワーク１１２は、その他のサービスプロバイダによって所有および／または運営されている有線通信ネットワークおよび／またはワイヤレス通信ネットワークを含むことが可能である。たとえば、ネットワーク１１２は、ＲＡＮ１０４／１１３と同じＲＡＴまたは異なるＲＡＴを採用することが可能である１つまたは複数のＲＡＮに接続されている別のＣＮを含むことが可能である。
【００２０】
通信システム１００におけるＷＴＲＵ１０２ａ、１０２ｂ、１０２ｃ、１０２ｄのうちのいくつかまたはすべては、マルチモード機能を含むことが可能である（たとえば、ＷＴＲＵ１０２ａ、１０２ｂ、１０２ｃ、１０２ｄは、別々のワイヤレスリンクを介して別々のワイヤレスネットワークと通信するために複数のトランシーバを含むことが可能である）。たとえば、図１Ａにおいて示されているＷＴＲＵ１０２ｃは、セルラーベースの無線テクノロジーを採用することが可能である基地局１１４ａと、およびＩＥＥＥ８０２無線テクノロジーを採用することが可能である基地局１１４ｂと通信するように構成されることが可能である。
【００２１】
図１Ｂは、例示的なＷＴＲＵ１０２を示すシステム図である。図１Ｂにおいて示されているように、ＷＴＲＵ１０２は、数ある中でも、プロセッサ１１８、トランシーバ１２０、送信／受信要素１２２、スピーカー／マイクロフォン１２４、キーパッド１２６、ディスプレイ／タッチパッド１２８、取り外し不能メモリ１３０、取り外し可能メモリ１３２、電源１３４、グローバルポジショニングシステム（ＧＰＳ）チップセット１３６、および／またはその他の周辺機器１３８を含むことが可能である。ＷＴＲＵ１０２は、実施形態との整合性を保持しながら、上述の要素どうしの任意の下位組合せを含むことが可能であるということが理解されるであろう。
【００２２】
プロセッサ１１８は、汎用プロセッサ、専用プロセッサ、従来型プロセッサ、デジタルシグナルプロセッサ（ＤＳＰ）、複数のマイクロプロセッサ、ＤＳＰコアに関連付けられている１つもしくは複数のマイクロプロセッサ、コントローラ、マイクロコントローラ、特定用途向け集積回路（ＡＳＩＣ）、フィールドプログラマブルゲートアレイ（ＦＰＧＡ）回路、その他の任意のタイプの集積回路（ＩＣ）、状態マシンなどであることが可能である。プロセッサ１１８は、信号コーディング、データ処理、電力制御、入力／出力処理、および／または、ＷＴＲＵ１０２がワイヤレス環境において動作することを可能にするその他の任意の機能を実行することが可能である。プロセッサ１１８は、トランシーバ１２０に結合されることが可能であり、トランシーバ１２０は、送信／受信要素１２２に結合されることが可能である。図１Ｂは、プロセッサ１１８およびトランシーバ１２０を別々のコンポーネントとして示しているが、プロセッサ１１８およびトランシーバ１２０は、電子パッケージまたはチップにおいてともに統合されることが可能であるということが理解されるであろう。
【００２３】
送信／受信要素１２２は、エアインターフェース１１６を介して、基地局（たとえば、基地局１１４ａ）に信号を送信するように、または基地局（たとえば、基地局１１４ａ）から信号を受信するように構成されることが可能である。たとえば、一実施形態においては、送信／受信要素１２２は、ＲＦ信号を送信および／または受信するように構成されているアンテナであることが可能である。実施形態においては、送信／受信要素１２２は、たとえば、ＩＲ信号、ＵＶ信号、または可視光信号を送信および／または受信するように構成されているエミッタ／検知器であることが可能である。さらに別の実施形態においては、送信／受信要素１２２は、ＲＦ信号および光信号の両方を送信および／または受信するように構成されることが可能である。送信／受信要素１２２は、ワイヤレス信号の任意の組合せを送信および／または受信するように構成されることが可能であるということが理解されるであろう。
【００２４】
送信／受信要素１２２は、図１Ｂにおいては単一の要素として示されているが、ＷＴＲＵ１０２は、任意の数の送信／受信要素１２２を含むことが可能である。より具体的には、ＷＴＲＵ１０２は、ＭＩＭＯテクノロジーを採用することが可能である。したがって、一実施形態においては、ＷＴＲＵ１０２は、エアインターフェース１１６を介してワイヤレス信号を送信および受信するために、２つ以上の送信／受信要素１２２（たとえば、複数のアンテナ）を含むことが可能である。
【００２５】
トランシーバ１２０は、送信／受信要素１２２によって送信されることになる信号を変調するように、および送信／受信要素１２２によって受信される信号を復調するように構成されることが可能である。上述されているように、ＷＴＲＵ１０２は、マルチモード機能を有することが可能である。したがってトランシーバ１２０は、ＷＴＲＵ１０２が、たとえばＮＲおよびＩＥＥＥ８０２．１１などの複数のＲＡＴを介して通信することを可能にするために複数のトランシーバを含むことが可能である。
【００２６】
ＷＴＲＵ１０２のプロセッサ１１８は、スピーカー／マイクロフォン１２４、キーパッド１２６、および／またはディスプレイ／タッチパッド１２８（たとえば、液晶ディスプレイ（ＬＣＤ）ディスプレイユニットもしくは有機発光ダイオード（ＯＬＥＤ）ディスプレイユニット）に結合されることが可能であり、そこからユーザ入力データを受信することが可能である。プロセッサ１１８は、ユーザデータをスピーカー／マイクロフォン１２４、キーパッド１２６、および／またはディスプレイ／タッチパッド１２８へ出力することも可能である。加えて、プロセッサ１１８は、任意のタイプの適切なメモリ、たとえば、取り外し不能メモリ１３０および／または取り外し可能メモリ１３２からの情報にアクセスすること、およびそれらのメモリにデータを格納することが可能である。取り外し不能メモリ１３０は、ランダムアクセスメモリ（ＲＡＭ）、読み取り専用メモリ（ＲＯＭ）、ハードディスク、またはその他の任意のタイプのメモリストレージデバイスを含むことが可能である。取り外し可能メモリ１３２は、サブスクライバーアイデンティティーモジュール（ＳＩＭ）カード、メモリスティック、セキュアデジタル（ＳＤ）メモリカードなどを含むことが可能である。その他の実施形態においては、プロセッサ１１８は、ＷＴＲＵ１０２上に物理的に配置されていない、たとえば、サーバまたはホームコンピュータ（図示せず）上のメモリからの情報にアクセスすること、およびそのメモリにデータを格納することが可能である。
【００２７】
プロセッサ１１８は、電源１３４から電力を受け取ることが可能であり、ＷＴＲＵ１０２におけるその他のコンポーネントへの電力を分配および／または制御するように構成されることが可能である。電源１３４は、ＷＴＲＵ１０２に電力供給するための任意の適切なデバイスであることが可能である。たとえば、電源１３４は、１つまたは複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことが可能である。
【００２８】
プロセッサ１１８は、ＧＰＳチップセット１３６に結合されることも可能であり、ＧＰＳチップセット１３６は、ＷＴＲＵ１０２の現在のロケーションに関するロケーション情報（たとえば、経度および緯度）を提供するように構成されることが可能である。ＷＴＲＵ１０２は、ＧＰＳチップセット１３６からの情報に加えて、またはその情報の代わりに、基地局（たとえば、基地局１１４ａ、１１４ｂ）からエアインターフェース１１６を介してロケーション情報を受信すること、および／または２つ以上の近隣の基地局から受信されている信号のタイミングに基づいてそのロケーションを特定することが可能である。ＷＴＲＵ１０２は、実施形態との整合性を保持しながら、任意の適切なロケーション特定方法を通じてロケーション情報を取得することが可能であるということが理解されるであろう。
【００２９】
プロセッサ１１８は、その他の周辺機器１３８にさらに結合されることが可能であり、その他の周辺機器１３８は、さらなる特徴、機能性、および／または有線接続もしくはワイヤレス接続を提供する１つまたは複数のソフトウェアモジュールおよび／またはハードウェアモジュールを含むことが可能である。たとえば、周辺機器１３８は、加速度計、ｅコンパス、衛星トランシーバ、デジタルカメラ（写真および／またはビデオ用）、ユニバーサルシリアルバス（ＵＳＢ）ポート、振動デバイス、テレビジョントランシーバ、ハンドフリーヘッドセット、Ｂｌｕｅｔｏｏｔｈ（登録商標）モジュール、周波数変調（ＦＭ）ラジオユニット、デジタルミュージックプレーヤ、メディアプレーヤ、ビデオゲームプレーヤモジュール、インターネットブラウザ、仮想現実および／または拡張現実（ＶＲ／ＡＲ）デバイス、アクティビティートラッカーなどを含むことが可能である。周辺機器１３８は、１つまたは複数のセンサを含むことが可能であり、それらのセンサは、ジャイロスコープ、加速度計、ホール効果センサ、磁力計、方位センサ、プロキシミティーセンサ、温度センサ、時間センサ、ジオロケーションセンサ、高度計、光センサ、タッチセンサ、磁力計、バロメータ、ジェスチャーセンサ、バイオメトリックセンサ、および／または湿度センサのうちの１つまたは複数であることが可能である。
【００３０】
ＷＴＲＵ１０２は、（たとえば、ＵＬ（たとえば、送信用）およびダウンリンク（たとえば、受信用）の両方に関して特定のサブフレームに関連付けられている）信号のうちのいくつかまたはすべての送信および受信が並列および／または同時であることが可能である全二重無線を含むことが可能である。全二重無線は、ハードウェア（たとえば、チョーク）、またはプロセッサを介した（たとえば、別個のプロセッサ（図示せず）もしくはプロセッサ１１８を介した）信号処理を介して自己干渉を低減するおよび／または実質的になくすための干渉管理ユニット１３９を含むことが可能である。実施形態においては、ＷＴＲＵ１０２は、（たとえば、ＵＬ（たとえば、送信用）またはダウンリンク（たとえば、受信用）のいずれかに関して特定のサブフレームに関連付けられている）信号のうちのいくつかまたはすべての送信および受信がある、半二重無線を含むことが可能である。
【００３１】
図１Ｃは、実施形態によるＲＡＮ１０４およびＣＮ１０６を示すシステム図である。上述されているように、ＲＡＮ１０４は、エアインターフェース１１６を介してＷＴＲＵ１０２ａ、１０２ｂ、１０２ｃと通信するためにＥ−ＵＴＲＡ無線テクノロジーを採用することが可能である。ＲＡＮ１０４は、ＣＮ１０６と通信状態にあることも可能である。
【００３２】
ＲＡＮ１０４は、ｅＮｏｄｅ−Ｂ１６０ａ、１６０ｂ、１６０ｃを含むことが可能であるが、ＲＡＮ１０４は、実施形態との整合性を保持しながら、任意の数のｅＮｏｄｅ−Ｂを含むことが可能であるということが理解されるであろう。ｅＮｏｄｅ−Ｂ１６０ａ、１６０ｂ、１６０ｃはそれぞれ、エアインターフェース１１６を介してＷＴＲＵ１０２ａ、１０２ｂ、１０２ｃと通信するために１つまたは複数のトランシーバを含むことが可能である。一実施形態においては、ｅＮｏｄｅ−Ｂ１６０ａ、１６０ｂ、１６０ｃは、ＭＩＭＯテクノロジーを実施することが可能である。したがってｅＮｏｄｅ−Ｂ１６０ａは、たとえば、ＷＴＲＵ１０２ａにワイヤレス信号を送信するために、および／またはＷＴＲＵ１０２ａからワイヤレス信号を受信するために、複数のアンテナを使用することが可能である。
【００３３】
ｅＮｏｄｅ−Ｂ１６０ａ、１６０ｂ、１６０ｃのそれぞれは、特定のセル（図示せず）に関連付けられることが可能であり、無線リソース管理の決定、ハンドオーバーの決定、ＵＬおよび／またはＤＬにおけるユーザのスケジューリングなどを取り扱うように構成されることが可能である。図１Ｃにおいて示されているように、ｅＮｏｄｅ−Ｂ１６０ａ、１６０ｂ、１６０ｃは、Ｘ２インターフェースを介して互いに通信することが可能である。
【００３４】
図１Ｃにおいて示されているＣＮ１０６は、モビリティー管理エンティティー（ＭＭＥ）１６２、サービングゲートウェイ（ＳＧＷ）１６４、およびパケットデータネットワーク（ＰＤＮ）ゲートウェイ（またはＰＧＷ）１６６を含むことが可能である。上述の要素のうちのそれぞれは、ＣＮ１０６の一部として示されているが、これらの要素のうちのいずれかが、ＣＮオペレータ以外のエンティティーによって所有および／または運営されることが可能であるということが理解されるであろう。
【００３５】
ＭＭＥ１６２は、Ｓ１インターフェースを介してＲＡＮ１０４におけるｅＮｏｄｅ−Ｂ１６２ａ、１６２ｂ、１６２ｃのそれぞれに接続されることが可能であり、制御ノードとしての役割を果たすことが可能である。たとえば、ＭＭＥ１６２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃの最初の接続の間に特定のサービングゲートウェイを選択することなどを担当することが可能である。ＭＭＥ１６２は、ＲＡＮ１０４と、ＧＳＭおよび／またはＷＣＤＭＡなどのその他の無線テクノロジーを採用しているその他のＲＡＮ（図示せず）との間における切り替えを行うための制御プレーン機能を提供することが可能である。
【００３６】
ＳＧＷ１６４は、Ｓ１インターフェースを介してＲＡＮ１０４におけるｅＮｏｄｅ  Ｂ１６０ａ、１６０ｂ、１６０ｃのそれぞれに接続されることが可能である。ＳＧＷ１６４は一般に、ユーザデータパケットをＷＴＲＵ１０２ａ、１０２ｂ、１０２ｃへ／ＷＴＲＵ１０２ａ、１０２ｂ、１０２ｃからルーティングおよび転送することが可能である。ＳＧＷ１６４は、その他の機能、たとえば、ｅＮｏｄｅ  Ｂ間でのハンドオーバー中にユーザプレーンを固定すること、ＷＴＲＵ１０２ａ、１０２ｂ、１０２ｃにとってＤＬデータが利用可能である場合にページングをトリガーすること、ＷＴＲＵ１０２ａ、１０２ｂ、１０２ｃのコンテキストを管理および格納することなどを実行することが可能である。
【００３７】
ＳＧＷ１６４は、ＰＧＷ１６６に接続されることが可能であり、ＰＧＷ１６６は、ＷＴＲＵ１０２ａ、１０２ｂ、１０２ｃと、ＩＰ対応デバイスとの間における通信を容易にするために、インターネット１１０などのパケット交換ネットワークへのアクセスをＷＴＲＵ１０２ａ、１０２ｂ、１０２ｃに提供することが可能である。
【００３８】
ＣＮ１０６は、その他のネットワークとの通信を容易にすることが可能である。たとえば、ＣＮ１０６は、ＷＴＲＵ１０２ａ、１０２ｂ、１０２ｃと、従来の地上通信線通信デバイスとの間における通信を容易にするために、ＰＳＴＮ１０８などの回線交換ネットワークへのアクセスをＷＴＲＵ１０２ａ、１０２ｂ、１０２ｃに提供することが可能である。たとえば、ＣＮ１０６は、ＣＮ１０６とＰＳＴＮ１０８との間におけるインターフェースとしての役割を果たすＩＰゲートウェイ（たとえば、ＩＰマルチメディアサブシステム（ＩＭＳ）サーバ）を含むことが可能であり、またはそうしたＩＰゲートウェイと通信することが可能である。加えて、ＣＮ１０６は、その他のネットワーク１１２へのアクセスをＷＴＲＵ１０２ａ、１０２ｂ、１０２ｃに提供することが可能であり、その他のネットワーク１１２は、その他のサービスプロバイダによって所有および／または運営されているその他の有線ネットワークおよび／またはワイヤレスネットワークを含むことが可能である。
【００３９】
ＷＴＲＵは、図１Ａ〜図１Ｄにおいてはワイヤレス端末として記述されているが、特定の代表的な実施形態においては、そのような端末は、通信ネットワークとの有線通信インターフェースを（たとえば、一時的にまたは永久に）使用することが可能であると想定される。
【００４０】
代表的な実施形態においては、その他のネットワーク１１２は、ＷＬＡＮであることが可能である。
【００４１】
インフラストラクチャーベーシックサービスセット（ＢＳＳ）モードにおけるＷＬＡＮは、ＢＳＳ用のアクセスポイント（ＡＰ）と、ＡＰに関連付けられている１つまたは複数のステーション（ＳＴＡ）とを有することが可能である。ＡＰは、ＢＳＳとの間で出入りするトラフィックを搬送する配信システム（ＤＳ）または別のタイプの有線／ワイヤレスネットワークへのアクセスまたはインターフェースを有することが可能である。ＢＳＳの外部から生じるＳＴＡへのトラフィックは、ＡＰを通じて着信することが可能であり、ＳＴＡへ配信されることが可能である。ＳＴＡからＢＳＳの外部の宛先へ生じるトラフィックは、ＡＰへ送られて、それぞれの宛先へ配信されることが可能である。ＢＳＳ内のＳＴＡどうしの間におけるトラフィックは、たとえば、ソースＳＴＡがトラフィックをＡＰへ送ることが可能であり、ＡＰがそのトラフィックを宛先ＳＴＡへ配信することが可能である場合には、ＡＰを通じて送られることが可能である。ＢＳＳ内のＳＴＡどうしの間におけるトラフィックは、ピアツーピアトラフィックとみなされること、および／または呼ばれることが可能である。ピアツーピアトラフィックは、ダイレクトリンクセットアップ（ＤＬＳ）を用いてソースＳＴＡと宛先ＳＴＡとの間において（たとえば、間において直接）送られることが可能である。特定の代表的な実施形態においては、ＤＬＳは、８０２．１１ｅ  ＤＬＳまたは８０２．１１ｚトンネルドＤＬＳ（ＴＤＬＳ）を使用することが可能である。独立ＢＳＳ（ＩＢＳＳ）モードを使用するＷＬＡＮは、ＡＰを有さないことが可能であり、ＩＢＳＳ内のまたはＩＢＳＳを使用するＳＴＡ（たとえば、ＳＴＡのうちのすべて）は、互いに直接通信することが可能である。通信のＩＢＳＳモードは、本明細書においては、時には通信の「アドホック」モードと呼ばれることが可能である。
【００４２】
オペレーションの８０２．１１ａｃインフラストラクチャーモードまたはオペレーションの同様のモードを使用する場合には、ＡＰは、プライマリーチャネルなどの固定されたチャネル上でビーコンを送信することが可能である。プライマリーチャネルは、固定された幅（たとえば、２０ＭＨｚの幅の帯域幅）またはシグナリングを介した動的に設定される幅であることが可能である。プライマリーチャネルは、ＢＳＳの動作チャネルであることが可能であり、ＡＰとの接続を確立するためにＳＴＡによって使用されることが可能である。特定の代表的な実施形態においては、たとえば８０２．１１システムにおいて、搬送波感知多重アクセス／衝突回避方式（ＣＳＭＡ／ＣＡ）が実施されることが可能である。ＣＳＭＡ／ＣＡに関しては、ＡＰを含むＳＴＡ（たとえば、あらゆるＳＴＡ）は、プライマリーチャネルを感知することが可能である。特定のＳＴＡによってプライマリーチャネルが感知／検知され、および／またはビジーであると特定された場合には、その特定のＳＴＡは、引き下がることが可能である。１つのＳＴＡ（たとえば、１つのステーションのみ）が、所与のＢＳＳにおいて任意の所与の時点で送信を行うことが可能である。
【００４３】
高スループット（ＨＴ）ＳＴＡは、たとえば、プライマリー２０ＭＨｚチャネルと、隣り合っているまたは隣り合っていない２０ＭＨｚのチャネルとの組合せを介して、通信のために４０ＭＨｚの幅のチャネルを使用して、４０ＭＨｚの幅のチャネルを形成することが可能である。
【００４４】
超高スループット（ＶＨＴ）ＳＴＡは、２０ＭＨｚ、４０ＭＨｚ、８０ＭＨｚ、および／または１６０ＭＨｚの幅のチャネルをサポートすることが可能である。４０ＭＨｚのチャネル、および／または８０ＭＨｚのチャネルは、隣接している２０ＭＨｚのチャネルどうしを組み合わせることによって形成されることが可能である。１６０ＭＨｚのチャネルは、８つの隣接している２０ＭＨｚのチャネルを組み合わせることによって、または２つの隣接していない８０ＭＨｚのチャネルを組み合わせること（これは、８０＋８０構成と呼ばれることが可能である）によって形成されることが可能である。８０＋８０構成に関しては、データは、チャネルエンコーディングの後に、セグメントパーサに通されることが可能であり、セグメントパーサは、そのデータを２つのストリームへと分割することが可能である。逆高速フーリエ変換（ＩＦＦＴ）処理、および時間ドメイン処理が、それぞれのストリーム上で別々に行われることが可能である。それらのストリームは、２つの８０ＭＨｚのチャネル上にマップされることが可能であり、データは、送信側ＳＴＡによって送信されることが可能である。受信側ＳＴＡの受信機においては、８０＋８０構成に関する上述のオペレーションは、逆にされることが可能であり、組み合わされたデータは、メディアアクセス制御（ＭＡＣ）へ送られることが可能である。
【００４５】
オペレーションのサブ１ＧＨｚモードが、８０２．１１ａｆおよび８０２．１１ａｈによってサポートされている。チャネル動作帯域幅、およびキャリアは、８０２．１１ａｆおよび８０２．１１ａｈにおいては、８０２．１１ｎおよび８０２．１１ａｃにおいて使用されるものに比べて低減される。８０２．１１ａｆは、ＴＶホワイトスペース（ＴＶＷＳ）スペクトルにおける５ＭＨｚ、１０ＭＨｚ、および２０ＭＨｚの帯域幅をサポートし、８０２．１１ａｈは、非ＴＶＷＳスペクトルを使用する１ＭＨｚ、２ＭＨｚ、４ＭＨｚ、８ＭＨｚ、および１６ＭＨｚの帯域幅をサポートする。代表的な実施形態によれば、８０２．１１ａｈは、マクロカバレッジエリアにおけるＭＴＣデバイスなど、メータタイプ制御／マシンタイプ通信をサポートすることが可能である。ＭＴＣデバイスは、特定の能力、たとえば、特定のおよび／または限られた帯域幅に関するサポートを（たとえば、それらに関するサポートのみを）含む限られた能力を有することが可能である。ＭＴＣデバイスは、（たとえば、非常に長いバッテリー寿命を保持するために）しきい値を上回るバッテリー寿命を有するバッテリーを含むことが可能である。
【００４６】
複数のチャネル、およびチャネル帯域幅、たとえば、８０２．１１ｎ、８０２．１１ａｃ、８０２．１１ａｆ、および８０２．１１ａｈをサポートすることが可能であるＷＬＡＮシステムは、プライマリーチャネルとして指定されることが可能であるチャネルを含む。プライマリーチャネルは、ＢＳＳにおけるすべてのＳＴＡによってサポートされている最大の共通動作帯域幅に等しい帯域幅を有することが可能である。プライマリーチャネルの帯域幅は、ＢＳＳにおいて動作しているすべてのＳＴＡのうちで、最小の帯域幅動作モードをサポートしているＳＴＡによって設定および／または制限されることが可能である。８０２．１１ａｈの例においては、たとえＡＰ、およびＢＳＳにおけるその他のＳＴＡが、２ＭＨｚ、４ＭＨｚ、８ＭＨｚ、１６ＭＨｚ、および／またはその他のチャネル帯域幅動作モードをサポートしても、１ＭＨｚモードをサポートする（たとえば、サポートするだけである）ＳＴＡ（たとえば、ＭＴＣタイプデバイス）に関しては、プライマリーチャネルは、１ＭＨｚの幅であることが可能である。キャリア感知および／またはネットワーク割り当てベクトル（ＮＡＶ）設定は、プライマリーチャネルのステータスに依存する場合がある。たとえば（１ＭＨｚの動作モードだけをサポートする）ＳＴＡがＡＰへの送信を行っていることに起因して、プライマリーチャネルがビジーである場合には、利用可能な周波数帯域の全体は、たとえそれらの周波数帯域の大部分がアイドルのままであって利用可能である可能性があっても、ビジーとみなされる場合がある。
【００４７】
米国においては、８０２．１１ａｈによって使用されることが可能である利用可能な周波数帯域は、９０２ＭＨｚから９２８ＭＨｚまでである。韓国においては、利用可能な周波数帯域は、９１７．５ＭＨｚから９２３．５ＭＨｚまでである。日本においては、利用可能な周波数帯域は、９１６．５ＭＨｚから９２７．５ＭＨｚまでである。８０２．１１ａｈにとって利用可能な合計の帯域幅は、国コードに応じて６ＭＨｚから２６ＭＨｚである。
【００４８】
図１Ｄは、実施形態によるＲＡＮ１１３およびＣＮ１１５を示すシステム図である。上述されているように、ＲＡＮ１１３は、エアインターフェース１１６を介してＷＴＲＵ１０２ａ、１０２ｂ、１０２ｃと通信するためにＮＲ無線テクノロジーを採用することが可能である。ＲＡＮ１１３は、ＣＮ１１５と通信状態にあることも可能である。
【００４９】
ＲＡＮ１１３は、ｇＮＢ１８０ａ、１８０ｂ、１８０ｃを含むことが可能であるが、ＲＡＮ１１３は、実施形態との整合性を保持しながら、任意の数のｇＮＢを含むことが可能であるということが理解されるであろう。ｇＮＢ１８０ａ、１８０ｂ、１８０ｃはそれぞれ、エアインターフェース１１６を介してＷＴＲＵ１０２ａ、１０２ｂ、１０２ｃと通信するために１つまたは複数のトランシーバを含むことが可能である。一実施形態においては、ｇＮＢ１８０ａ、１８０ｂ、１８０ｃは、ＭＩＭＯテクノロジーを実施することが可能である。たとえば、ｇＮＢ１８０ａ、１８０ｂは、ｇＮＢ１８０ａ、１８０ｂ、１８０ｃへ信号を送信するために、および／またはｇＮＢ１８０ａ、１８０ｂ、１８０ｃから信号を受信するために、ビームフォーミングを利用することが可能である。したがってｇＮＢ１８０ａは、たとえば、ＷＴＲＵ１０２ａへワイヤレス信号を送信するために、および／またはＷＴＲＵ１０２ａからワイヤレス信号を受信するために、複数のアンテナを使用することが可能である。実施形態においては、ｇＮＢ１８０ａ、１８０ｂ、１８０ｃは、キャリアアグリゲーションテクノロジーを実施することが可能である。たとえば、ｇＮＢ１８０ａは、複数のコンポーネントキャリアをＷＴＲＵ１０２ａ（図示せず）へ送信することが可能である。これらのコンポーネントキャリアのサブセットが、ライセンス供与されていないスペクトル上にあることが可能であり、その一方で残りのコンポーネントキャリアが、ライセンス供与されているスペクトル上にあることが可能である。実施形態においては、ｇＮＢ１８０ａ、１８０ｂ、１８０ｃは、協調マルチポイント（ＣｏＭＰ）テクノロジーを実施することが可能である。たとえば、ＷＴＲＵ１０２ａは、ｇＮＢ１８０ａおよびｇＮＢ１８０ｂ（および／またはｇＮＢ１８０ｃ）から協調送信を受信することが可能である。
【００５０】
ＷＴＲＵ１０２ａ、１０２ｂ、１０２ｃは、スケーラブルなニューメロロジーに関連付けられている送信を使用して、ｇＮＢ１８０ａ、１８０ｂ、１８０ｃと通信することが可能である。たとえば、ＯＦＤＭシンボルスペーシングおよび／またはＯＦＤＭサブキャリアスペーシングは、別々の送信、別々のセル、および／またはワイヤレス送信スペクトルの別々の部分ごとに異なることが可能である。ＷＴＲＵ１０２ａ、１０２ｂ、１０２ｃは、さまざまなまたはスケーラブルな長さのサブフレームまたは送信タイムインターバル（ＴＴＩ）（たとえば、さまざまな数のＯＦＤＭシンボルおよび／または持続するさまざまな長さの絶対時間を含む）を使用して、ｇＮＢ１８０ａ、１８０ｂ、１８０ｃと通信することが可能である。
【００５１】
ｇＮＢ１８０ａ、１８０ｂ、１８０ｃは、スタンドアロンの構成および／またはスタンドアロンではない構成でＷＴＲＵ１０２ａ、１０２ｂ、１０２ｃと通信するように構成されることが可能である。スタンドアロンの構成においては、ＷＴＲＵ１０２ａ、１０２ｂ、１０２ｃは、その他のＲＡＮ（たとえば、ｅＮｏｄｅ−Ｂ１６０ａ、１６０ｂ、１６０ｃなど）にアクセスすることも伴わずに、ｇＮＢ１８０ａ、１８０ｂ、１８０ｃと通信することが可能である。スタンドアロンの構成においては、ＷＴＲＵ１０２ａ、１０２ｂ、１０２ｃは、ｇＮＢ１８０ａ、１８０ｂ、１８０ｃのうちの１つまたは複数をモビリティーアンカーポイントとして利用することが可能である。スタンドアロンの構成においては、ＷＴＲＵ１０２ａ、１０２ｂ、１０２ｃは、ライセンス供与されていない帯域における信号を使用してｇＮＢ１８０ａ、１８０ｂ、１８０ｃと通信することが可能である。スタンドアロンではない構成においては、ＷＴＲＵ１０２ａ、１０２ｂ、１０２ｃは、ｇＮＢ１８０ａ、１８０ｂ、１８０ｃと通信する／それらに接続する一方で、ｅＮｏｄｅ−Ｂ１６０ａ、１６０ｂ、１６０ｃなどの別のＲＡＮと通信すること／それらに接続することも可能である。たとえば、ＷＴＲＵ１０２ａ、１０２ｂ、１０２ｃは、ＤＣ原理を実施して、１つまたは複数のｇＮＢ１８０ａ、１８０ｂ、１８０ｃおよび１つまたは複数のｅＮｏｄｅ−Ｂ１６０ａ、１６０ｂ、１６０ｃと実質的に同時に通信することが可能である。スタンドアロンではない構成においては、ｅＮｏｄｅ−Ｂ１６０ａ、１６０ｂ、１６０ｃは、ＷＴＲＵ１０２ａ、１０２ｂ、１０２ｃのためのモビリティーアンカーとしての役割を果たすことが可能であり、ｇＮＢ１８０ａ、１８０ｂ、１８０ｃは、ＷＴＲＵ１０２ａ、１０２ｂ、１０２ｃにサービス提供するためのさらなるカバレッジおよび／またはスループットを提供することが可能である。
【００５２】
ｇＮＢ１８０ａ、１８０ｂ、１８０ｃのそれぞれは、特定のセル（図示せず）に関連付けられることが可能であり、無線リソース管理の決定、ハンドオーバーの決定、ＵＬおよび／またはＤＬにおけるユーザのスケジューリング、ネットワークスライシングのサポート、デュアル接続、ＮＲとＥ−ＵＴＲＡとの間におけるインターワーキング、ユーザプレーン機能（ＵＰＦ）１８４ａ、１８４ｂへのユーザプレーンデータのルーティング、アクセスおよびモビリティー管理機能（ＡＭＦ）１８２ａ、１８２ｂへの制御プレーン情報のルーティングなどを取り扱うように構成されることが可能である。図１Ｄにおいて示されているように、ｇＮＢ１８０ａ、１８０ｂ、１８０ｃは、Ｘｎインターフェースを介して互いに通信することが可能である。
【００５３】
図１Ｄにおいて示されているＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、および場合よってはデータネットワーク（ＤＮ）１８５ａ、１８５ｂを含むことが可能である。上述の要素のうちのそれぞれは、ＣＮ１１５の一部として示されているが、これらの要素のうちのいずれかが、ＣＮオペレータ以外のエンティティーによって所有および／または運営されることが可能であるということが理解されるであろう。
【００５４】
ＡＭＦ１８２ａ、１８２ｂは、Ｎ２インターフェースを介してＲＡＮ１１３におけるｇＮＢ１８０ａ、１８０ｂ、１８０ｃのうちの１つまたは複数に接続されることが可能であり、制御ノードとしての役割を果たすことが可能である。たとえば、ＡＭＦ１８２ａ、１８２ｂは、ＷＴＲＵ１０２ａ、１０２ｂ、１０２ｃのユーザを認証すること、ネットワークスライシングに関するサポート（たとえば、別々の要件を伴う別々のＰＤＵセッションを取り扱うこと）、特定のＳＭＦ１８３ａ、１８３ｂを選択すること、登録エリアの管理、ＮＡＳシグナリングの終了、モビリティー管理などを担当することが可能である。ネットワークスライシングは、ＷＴＲＵ１０２ａ、１０２ｂ、１０２ｃによって利用されているサービスのタイプに基づいてＷＴＲＵ１０２ａ、１０２ｂ、１０２ｃのためにＣＮサポートをカスタマイズするためにＡＭＦ１８２ａ、１８２ｂによって使用されることが可能である。たとえば、超高信頼低遅延（ＵＲＬＬＣ）アクセスに依存するサービス、拡張大容量モバイルブロードバンド（ｅＭＢＢ）アクセスに依存するサービス、マシンタイプ通信（ＭＴＣ）アクセスに関するサービス等などの別々の使用事例に関して、別々のネットワークスライスが確立されることが可能である。ＡＭＦ１６２は、ＲＡＮ１１３と、ＬＴＥ、ＬＴＥ−Ａ、ＬＴＥ−Ａ  Ｐｒｏなどのその他の無線テクノロジー、および／またはＷｉＦｉなどの非３ＧＰＰアクセステクノロジーを採用しているその他のＲＡＮ（図示せず）との間において切り替えを行うための制御プレーン機能を提供することが可能である。
【００５５】
ＳＭＦ１８３ａ、１８３ｂは、Ｎ１１インターフェースを介してＣＮ１１５におけるＡＭＦ１８２ａ、１８２ｂに接続されることが可能である。ＳＭＦ１８３ａ、１８３ｂは、Ｎ４インターフェースを介してＣＮ１１５におけるＵＰＦ１８４ａ、１８４ｂに接続されることも可能である。ＳＭＦ１８３ａ、１８３ｂは、ＵＰＦ１８４ａ、１８４ｂを選択および制御すること、ならびにＵＰＦ１８４ａ、１８４ｂを通るトラフィックのルーティングを構成することが可能である。ＳＭＦ１８３ａ、１８３ｂは、その他の機能、たとえば、ＵＥ  ＩＰアドレスを管理することおよび割り当てること、ＰＤＵセッションを管理すること、ポリシー施行およびＱｏＳを制御すること、ダウンリンクデータ通知を提供することなどを実行することが可能である。ＰＤＵセッションタイプは、ＩＰベース、非ＩＰベース、イーサネットベースなどであることが可能である。
【００５６】
ＵＰＦ１８４ａ、１８４ｂは、Ｎ３インターフェースを介してＲＡＮ１１３におけるｇＮＢ１８０ａ、１８０ｂ、１８０ｃのうちの１つまたは複数に接続されることが可能であり、Ｎ３インターフェースは、ＷＴＲＵ１０２ａ、１０２ｂ、１０２ｃとＩＰ対応デバイスとの間における通信を容易にするために、インターネット１１０などのパケット交換ネットワークへのアクセスをＷＴＲＵ１０２ａ、１０２ｂ、１０２ｃに提供することが可能である。ＵＰＦ１８４、１８４ｂは、その他の機能、たとえば、パケットをルーティングおよび転送すること、ユーザプレーンポリシーを施行すること、マルチホームＰＤＵセッションをサポートすること、ユーザプレーンＱｏＳを取り扱うこと、ダウンリンクパケットをバッファリングすること、モビリティーアンカリングを提供することなどを実行することが可能である。
【００５７】
ＣＮ１１５は、その他のネットワークとの通信を容易にすることが可能である。たとえば、ＣＮ１１５は、ＣＮ１１５とＰＳＴＮ１０８との間におけるインターフェースとしての役割を果たすＩＰゲートウェイ（たとえば、ＩＰマルチメディアサブシステム（ＩＭＳ）サーバ）を含むことが可能であり、またはそうしたＩＰゲートウェイと通信することが可能である。加えて、ＣＮ１１５は、その他のネットワーク１１２へのアクセスをＷＴＲＵ１０２ａ、１０２ｂ、１０２ｃに提供することが可能であり、その他のネットワーク１１２は、その他のサービスプロバイダによって所有および／または運営されているその他の有線ネットワークおよび／またはワイヤレスネットワークを含むことが可能である。一実施形態においては、ＷＴＲＵ１０２ａ、１０２ｂ、１０２ｃは、ＵＰＦ１８４ａ、１８４ｂへのＮ３インターフェース、およびＵＰＦ１８４ａ、１８４ｂとＤＮ１８５ａ、１８５ｂとの間におけるＮ６インターフェースを介して、ＵＰＦ１８４ａ、１８４ｂを通じてローカルデータネットワーク（ＤＮ）１８５ａ、１８５ｂに接続されることが可能である。
【００５８】
図１Ａ〜図１Ｄ、および図１Ａ〜図１Ｄの対応する説明を考慮すると、ＷＴＲＵ１０２ａ〜ｄ、基地局１１４ａ〜ｂ、ｅＮｏｄｅ−Ｂ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、および／または本明細書において記述されているその他の任意のデバイスのうちの１つまたは複数に関連して本明細書において記述されている機能のうちの１つもしくは複数またはすべては、１つまたは複数のエミュレーションデバイス（図示せず）によって実行されることが可能である。エミュレーションデバイスは、本明細書において記述されている機能のうちの１つもしくは複数またはすべてをエミュレートするように構成されている１つまたは複数のデバイスであることが可能である。たとえば、エミュレーションデバイスは、その他のデバイスをテストするために、ならびに／またはネットワークおよび／もしくはＷＴＲＵ機能をシミュレートするために使用されることが可能である。
【００５９】
エミュレーションデバイスは、ラボ環境において、および／またはオペレータネットワーク環境においてその他のデバイスの１つまたは複数のテストを実施するように設計されることが可能である。たとえば、１つまたは複数のエミュレーションデバイスは、有線および／またはワイヤレス通信ネットワーク内のその他のデバイスをテストするためにその通信ネットワークの一部として全体的にまたは部分的に実装および／または展開されている間に、１つもしくは複数のまたはすべての機能を実行することが可能である。１つまたは複数のエミュレーションデバイスは、有線および／またはワイヤレス通信ネットワークの一部として一時的に実装／展開されている間に、１つもしくは複数のまたはすべての機能を実行することが可能である。エミュレーションデバイスは、テスティングの目的のために別のデバイスに直接結合されることが可能であり、および／またはオーバージエアーワイヤレス通信を使用してテスティングを実行することが可能である。
【００６０】
１つまたは複数のエミュレーションデバイスは、有線および／またはワイヤレス通信ネットワークの一部として実装／展開されていない間に、すべての機能を含む１つまたは複数の機能を実行することが可能である。たとえば、エミュレーションデバイスは、１つまたは複数のコンポーネントのテスティングを実施するために、テスティングラボラトリーならびに／または展開されていない（たとえば、テスティングの）有線および／もしくはワイヤレス通信ネットワークにおけるテスティングシナリオにおいて利用されることが可能である。１つまたは複数のエミュレーションデバイスは、テスト機器であることが可能である。直接ＲＦ結合、および／または、ＲＦ回路（たとえば、１つもしくは複数のアンテナを含むことが可能である）を介したワイヤレス通信が、データを送信および／または受信するためにエミュレーションデバイスによって使用されることが可能である。
【００６１】
５Ｇ新無線（ＮＲ）においては、高いデータレートの要件を満たすために、６ＧＨｚを上回る周波数スペクトルが、大きな帯域幅を活用する目的で使用することを合意されている。これらの６ＧＨｚを上回る周波数を使用することにおける難題のうちの１つは、より高い周波数におけるさらに高いフリースペースパスロスに起因する、特に屋外環境における著しい伝搬ロスかもしれない。より高い周波数における著しいパスロスに対処するために、ビームフォーミング（たとえば、アナログビーム）が採用されている。なぜなら、それは、送信電力を増大させることなくパスロスを補償することができるからである。パスロスを補償するためにビームが使用されるので、すべてのダウンリンクチャネルおよびアップリンクチャネルは、ビームに基づく必要がある。したがって、ページングチャネルのためにビームが使用されるビームベースのシステム用に５Ｇ  ＮＲダウンリンク物理チャネルおよびダウンリンク制御チャネルが定義される必要がある。
【００６２】
ページングに関しては、ＷＴＲＵが、たとえば、アイドルモードで、および／または接続モードで、ページングＲＮＴＩ（Ｐ−ＲＮＴＩ）を用いてマスクされている物理ダウンリンク制御チャネル（ＰＤＣＣＨ）上でのダウンリンク制御情報（ＤＣＩ）またはダウンリンク（ＤＬ）割り振りに関してＰＤＣＣＨを周期的にモニタすることが可能である。ＷＴＲＵが、Ｐ−ＲＮＴＩを使用してＤＣＩまたはＤＬ割り振りを検知または受信した場合には、ＷＴＲＵは、関連付けられているもしくは示されている物理ダウンリンク共有チャネル（ＰＤＳＣＨ）リソースブロック（ＲＢ）を復調することが可能であり、および／または関連付けられているもしくは示されているＰＤＳＣＨ上で搬送されることが可能であるページングチャネル（ＰＣＨ）をデコードすることが可能である。ＰＣＨを搬送するＰＤＳＣＨは、ＰＣＨ  ＰＤＳＣＨと呼ばれることが可能である。本明細書において使用される際には、ページング、ページングメッセージ、またはＰＣＨという用語、およびそれらのバリエーションは、本開示を通じて言い換え可能に使用されることが可能である。
【００６３】
たとえば、ネットワークからページングメッセージを受信するために、アイドルモードにおけるＷＴＲＵが、ページングを示すために使用されるＲＮＴＩ値（すなわちＰ−ＲＮＴＩ）に関してＰＤＣＣＨチャネルをモニタする場合がある。ＷＴＲＵは、特定のＷＴＲＵ固有の機会において（すなわち、特定の無線フレーム内の特定のサブフレームにおいて）ＰＤＣＣＨチャネルをモニタすることを必要とする場合がある。その他の時点においては、ＷＴＲＵは、不連続受信（ＤＲＸ）を適用することが可能であり、つまり、それは、バッテリー電力を保持するために自分の受信機のスイッチをオフにすることが可能である。ネットワークは、無線フレームおよびサブフレームのうちのどれがページングのために使用されるかを構成することが可能である。それぞれのセルは、デフォルトページングサイクルまたはＷＴＲＵ固有のページングサイクルをブロードキャストすることが可能である。ＷＴＲＵは、無線フレーム（すなわちページングフレーム）、およびそのページングフレーム内のサブフレーム（すなわちページング機会）を計算することが可能である。
【００６４】
ページングフレーム（ＰＦ）、およびそのＰＦ内のサブフレーム（すなわちページング機会）は、ＷＴＲＵ  ＩＤ（たとえば、ＵＥ＿ＩＤ）、およびネットワークによって指定されることが可能であるパラメータに基づいて特定されることが可能である。それらのパラメータは、ページングサイクル（ＰＣ）長さ（たとえば、フレームでの）、およびページングサイクルごとのページングサブフレームの数（たとえば、ｎＢ）を含むことが可能であるが、それらには限定されない。ＰＣ長さは、ＤＲＸサイクルと同じであることが可能である。ページングサイクルごとのページングサブフレームの数（たとえば、ｎＢ）は、セル内にあり得るＰＣごとのＰＦの数（たとえば、Ｎ）およびＰＦごとのＰＯの数（たとえば、Ｎｓ）の特定を可能にすることができる。実施形態におけるＷＴＲＵ  ＩＤは、ＷＴＲＵ  ＩＭＳＩ  ｍｏｄ１０２４であることが可能である。ＰＦ内のサブフレームは、ＷＴＲＵが、たとえばアイドルモードで、ページングチャネルに関してモニタすることができるページング機会（ＰＯ）であることが可能である。
【００６５】
ネットワークの観点からは、ページングサイクルごとの複数のＰＦ、およびＰＦ内の複数のＰＯがあることが可能である。たとえば、ページングサイクルごとの複数のサブフレームが、Ｐ−ＲＮＴＩを用いてマスクされているＰＤＣＣＨを搬送することが可能である。加えて、ＷＴＲＵの観点からは、ＷＴＲＵが、ページングサイクルごとのＰＯをモニタすることが可能であり、そのようなＰＯは、本明細書において（たとえば、上で）指定されているパラメータに基づいて特定されることが可能である。それらのパラメータは、システム情報、専用のシグナリング情報などを介してＷＴＲＵに提供されることが可能である。ＰＯは、１つまたは複数の特定のＷＴＲＵに関するページを含むことが可能であり、またはそれらは、それらのＷＴＲＵのそれぞれに向けられることが可能であるシステム情報変更ページを含むことが可能である。アイドルモードにおいては、ＷＴＲＵが、着信コールまたはシステム情報更新変更などの理由のためにページを受信することが可能である。
【００６６】
接続モードにおいては、ＷＴＲＵが、たとえば、システム情報変更に関連したページを受信することが可能である。ＷＴＲＵは、着信コールのために使用されることが可能であるＷＴＲＵ固有のページを受信しないことが可能である。したがって、接続モードにおけるＷＴＲＵは、特定のＰＯをモニタしないことが可能である。加えて、周波数分割複信（ＦＤＤ）に関しては、ＰＯサブフレームは、サブフレーム０、４、５、および９などの特定のサブフレームに限定されることが可能である。時分割複信（ＴＤＤ）に関しては、ＰＯサブフレームは、サブフレーム０、１、５、および６などの特定のサブフレームに限定されることが可能である。
【００６７】
不連続受信（ＤＲＸ）が、本明細書において記述されている。アイドルモード（たとえば、ＲＲＣアイドルモードおよび／またはＥＰＳ接続管理（ＥＣＭ）アイドルモード）においては、ＷＴＲＵが、着信コールのためのページングメッセージ、システム情報変更、地震および津波警告サービス（ＥＴＷＳ）対応ＷＴＲＵのためのＥＴＷＳ通知、コマーシャルモバイルアラートシステム（ＣＭＡＳ）通知に関してモニタすること、またはそれらをリッスンすることが可能である。拡張アクセス制限パラメータ修正など。
【００６８】
ＷＴＲＵは、たとえば、そのＷＴＲＵにとってページがない可能性がある場合にバッテリー消費を低減するために、不連続にＰ−ＲＮＴＩに関してＰＤＣＣＨをモニタすることが可能である。ＤＲＸは、不連続にＰＤＣＣＨをモニタするプロセスであること、またはそのプロセスを含むことが可能である。アイドルモードにおいては、ＤＲＸは、たとえばＲＲＣアイドル状態中にページングメッセージに関してモニタするために、またはそれをリッスンするために、Ｐ−ＲＮＴＩに関して不連続にＰＤＣＣＨをモニタするプロセスであること、またはそのプロセスを含むことが可能である。
【００６９】
本明細書において使用される際には、アイドルモード、アイドル状態、ＲＲＣアイドルモード、ＲＲＣアイドル状態、またはＲＲＣ＿ＩＤＬＥモード／状態という用語は、本開示を通じて言い換え可能に使用されることが可能である。ＲＲＣアイドルおよびＥＣＭアイドルという用語も、本開示を通じて言い換え可能に使用されることが可能である。ＤＲＸは、接続モードにおいて可能にされることおよび／または使用されることも可能である。接続モードにあるときに、ＤＲＸが構成されている場合には、ＭＡＣエンティティーは、たとえばＤＲＸオペレーションを使用して、不連続にＰＤＣＣＨをモニタすることが可能である。接続モード、接続状態、およびＲＲＣ＿ＣＯＮＮＥＣＴＥＤモードまたは状態は、言い換え可能に使用されることが可能である。本明細書において使用される際には、ページング、ページングメッセージ、またはＰＣＨという用語、およびそれらのバリエーションは、本開示を通じて言い換え可能に使用されることが可能である。
【００７０】
アイドルモードＤＲＸが、本明細書において記述されている。ＷＴＲＵは、ページングに関してモニタするためのＰＦおよび／またはＰＯを特定するために、たとえば、システム情報ブロック（ＳＩＢ）２などのＳＩＢにおいてブロードキャストされることが可能である１つまたは複数のＤＲＸパラメータを使用することが可能である。代替として、または追加として、ＷＴＲＵは、たとえばＭＭＥからＮＡＳを通じたシグナリングによって、ＷＴＲＵへシグナリングされることが可能である１つまたは複数のＷＴＲＵ固有のＤＲＸサイクルパラメータを使用することが可能である。
【００７１】
表１は、パラメータの例示的な範囲および例示的なソース（たとえば、ｅＮＢまたはＭＭＥ）を含むＤＲＸパラメータの例を提供する。
【００７２】
【表１】
2020519130.tif 000003
【００７３】
ＷＴＲＵのＤＲＸサイクルＴは、ページングサイクルにおける無線フレームの数を示すことが可能である。Ｔのさらに大きな値は、より少ないＷＴＲＵバッテリー電力消費をもたらし得る。Ｔのさらに小さな値は、ＷＴＲＵバッテリー電力消費を増大させ得る。ＤＲＸサイクルは、セル固有またはＷＴＲＵ固有であることが可能である。
【００７４】
基地局（ＢＳ）（たとえば、ｅＮＢ）によって提供されるＤＲＸサイクルは、セル固有であることが可能であり、セルにおける少なくともいくつかの（たとえば、すべての）ＷＴＲＵに提供されることが可能である。ＢＳ（たとえば、ｅＮＢ）によって提供されることが可能であるＤＲＸサイクルは、デフォルトページングサイクルであることが可能である。ＭＭＥによって提供されるＤＲＸサイクルは、ＷＴＲＵ固有であることが可能である。ＷＴＲＵは、デフォルトページングサイクルとＷＴＲＵ固有のＤＲＸサイクルとのうちの小さい方を自分のＤＲＸサイクルまたはページングサイクルとして使用することが可能である。ＭＭＥは、ＷＴＲＵ固有のＤＲＸサイクルを、たとえば「ＷＴＲＵ固有のＤＲＸサイクル」として、ＮＡＳシグナリングにおいてＷＴＲＵに提供することが可能である。ＭＭＥは、ＷＴＲＵ固有のＤＲＸサイクルを、たとえば、ＷＴＲＵ用として意図されている可能性があるＭＭＥによって開始されたページングメッセージに関する「ページングＤＲＸ」としてＰＡＧＩＮＧ  Ｓ１  ＡＰメッセージにおいてＢＳ（たとえば、ｅＮＢ）に提供することが可能である。
【００７５】
ＷＴＲＵおよび／またはＢＳ（たとえば、ｅＮＢ）は、デフォルトおよび特定のＤＲＸサイクルの間における最小のものを使用することが可能である。たとえば、無線フレームにおいてＴ＝Ｍｉｎ（ＴUE，−ＴCELL）である。Ｎ（たとえば、１２８）個の無線フレームのＤＲＸサイクルを伴うＷＴＲＵは、Ｎ×フレーム時間（たとえば、１０ｍｓのフレーム時間に関して１．２８秒）ごとにウェイクアップしてページングメッセージを探すことを必要とする場合がある。
【００７６】
パラメータｎＢ（すなわちページングサイクルごとのページングサブフレームの数）は、セル固有のＤＲＸサイクルにおけるページング機会の数を示すことが可能である。このパラメータは、セル固有であることが可能である。ｎＢ値の構成は、セルにおいて所望または使用されることが可能であるページングキャパシティーに依存することが可能である。ｎＢのさらに大きな値は、たとえば、ページングキャパシティーを増大させるために使用されることが可能である。ｎＢのさらに小さな値は、たとえば、より小さなページングキャパシティーのために使用されることが可能である。
【００７７】
ＢＳ（たとえば、ｅＮＢ）および／またはＷＴＲＵは、下記の方程式（１）に従ってＷＴＲＵのＰＦを計算することが可能である。
ＰＦ＝ＳＦＮ  ｍｏｄ  Ｔ＝（Ｔ  ｄｉｖ  Ｎ）*（ＷＴＲＵ＿ＩＤ  ｍｏｄ  Ｎ）  方程式（１）
この場合、Ｎは、Ｎ＝ｍｉｎ（Ｔ，ｎＢ）として特定される。ＰＦ内のＷＴＲＵ固有のＰＯは、ページングサブフレームのセットから特定されることが可能である。そのセットは、ページングのための事前に定義された許可されたサブフレーム、ならびに／または、少なくともｎＢおよび／もしくはＴの関数であることが可能であるＰＦごとのＰＯの数の関数であることが可能である。システムフレーム番号（ＳＦＮ）は、０から１０２３などの値の範囲を有することが可能である。
【００７８】
接続モードＤＲＸが、本明細書において記述されている。接続モードにおいては、ＰＦおよびＰＯは、アイドルモードにおけるのと同様の様式で特定されることが可能である。ＤＲＸサイクルパラメータは、アイドルモードと接続モードとで異なることが可能である。ＷＴＲＵは、たとえばシステム情報変更情報を入手するために、接続モードでのＰＣにおける（たとえば、いずれかの）ＰＯをモニタすることが可能である。
【００７９】
マシンタイプ通信（ＭＴＣ）デバイスなどのデバイスのために拡張ＤＲＸ（ｅＤＲＸ）などのさらに長いＤＲＸサイクルを有することが望ましい場合がある。加えて、さらに長いＤＲＸサイクルは、遅延耐性デバイスなどのいくつかのデバイスにとって有用である場合がある。たとえば、それは、それらのデバイスにとってバッテリー消費を低減すること、および／またはバッテリー寿命を増大させることが可能である。
【００８０】
図２Ａは、本明細書において記述されているその他の実施形態の任意の組合せにおいて使用されることが可能である、ハイパーフレーム（ＨＦ）２０５、２１０、２１５に関するタイミングの例２００を示している。図２Ａにおいて示されているように、時間ユニット（たとえば、ハイパーフレーム（ＨＦ）２０５、２１０、２１５）は、無線フレームおよび／またはシステムフレーム番号（ＳＦＮ）タイミング（たとえば、レガシーＳＦＮタイミング）とともに、その拡張として、またはその上で使用されることが可能である。１つのＨＦ２０５、２１０、２１５は、ＳＦＮサイクル２２０、たとえば、１０２４個の無線フレームまたは１０．２４ｓを含むことが可能である。ＨＦ２０５、２１０、２１５は、ハイパーシステムフレーム番号（Ｈ−ＳＦＮ）を有することが可能である。Ｈ−ＳＦＮサイクル２２５は、１０２４個のＳＦＮサイクル２２０を含むことが可能である。Ｈ−ＳＦＮサイクル２２５は、１０２４*１０２４*１０ｍｓ（すなわち１７４．７６分）継続することが可能である。
【００８１】
アイドルモード拡張ＤＲＸ（Ｉ−ｅＤＲＸ）サイクルが、２５６個までのＨ−ＳＦＮサイクル２２５を含むことが可能である。たとえば、Ｉ−ｅＤＲＸは、２５６*１０２４*１０ｍｓ（すなわち４３．６９分）継続することが可能である。Ｈ−ＳＦＮサイクル２２５は、セルによってブロードキャストされることが可能である。Ｈ−ＳＦＮサイクル２２５は、ＳＦＮサイクル境界においてインクリメントすることが可能である。
【００８２】
図２Ｂは、本明細書において記述されているその他の実施形態の任意の組合せにおいて使用されることが可能である、ＨＦ２０５、２１０、２１５内のページングの例２０１を示している。ＷＴＲＵがページングのために到達可能になり得るＨ−ＳＦＮは、ページングハイパーフレーム（ＰＨ）２３５、２４０と、またはＷＴＲＵのＰＨ２３５、２４０と呼ばれることが可能である。ＰＨ２３５、２４０は、ＥＣＭアイドルにおいて適用可能（または適用可能なだけ）であり得る。ＰＨ２３５、２４０は、拡張ＤＲＸサイクルおよび／またはＷＴＲＵ  ＩＤの関数（たとえば、ＩＭＳＩ  ｍｏｄ（１０２４））として算出されることが可能である。ＰＨ２３５、２４０内で、ＰＦ２５０、２５５、２６０、および／またはＰＯの特定は、通常のＤＲＸルールおよび／または公式に準拠することが可能である。たとえば、ＷＴＲＵは、通常のＤＲＸサイクル２４５に基づいてＰＦ２５０、２５５、２６０を受信することが可能である。ＷＴＲＵのページングウィンドウ（ＰＷ）２６５は、ＷＴＲＵのＰＨ２３５、２４０におけるＰＦ２５０、２５５、２６０のセットに対応するウィンドウまたはタイムスパンであることが可能であり、その間にＷＴＲＵは、ページングに関してモニタすることが可能であり、および／またはページングされることが可能である。ＰＷ２６５は、利用可能なＰＦ２５０、２５５、２６０のサブセットをＰＨ２３５、２４０内に含むことが可能である。ＰＷ２６５は、たとえばＮＡＳメッセージにおけるＭＭＥによって、ＷＴＲＵへシグナリングされることが可能である。ＰＦ２５０、２５５、２６０においては、ＷＴＲＵは、１つのＰＯをモニタすること（またはモニタすることのみ）が可能である。ＷＴＲＵに対するページングは、たとえば、そのＷＴＲＵが前のページに応答しない場合には、そのＰＷ２６５におけるＷＴＲＵのＰＦ２５０、２５５、２６０のうちの１つまたは複数において繰り返されることが可能である。
【００８３】
アイドルモード拡張ＤＲＸ（Ｉ−ｅＤＲＸ）に関するセルのサポートは、Ｈ−ＳＦＮのブロードキャストによって黙示的に示されることが可能である。長いＤＲＸサイクルに関しては、たとえば、長い時間にわたってＢＳ（たとえば、ｅＮＢ）においてページング要求を格納することを回避するために、ＷＴＲＵがいつ到達可能になるかについてのいくらかの認識をＭＭＥが有することが有用である場合がある。接続モードにおいては、ＤＲＸサイクルは、たとえば、長いＤＲＸサイクルに関する値の範囲を１０．２４秒へ拡張することによって、ＳＦＮ限界まで拡張されることが可能である。
【００８４】
図３は、本明細書において記述されているその他の実施形態の任意の組合せにおいて使用されることが可能である、ＳＳバースト３０５内の同期信号（ＳＳ）ブロック３１５、３２０、３２５の例３００を示している。同期信号バースト（ＳＳバースト）３０５は、最初のアクセスのために複数のビームが使用される場合に使用されることが可能である。たとえば、ＳＳバースト３０５は、周期的に（たとえば、２０ｍｓごとに）送信されることが可能であり、それぞれのＳＳバースト３０５は、１つまたは複数のＳＳブロック３１５、３２０、３２５を含むことが可能である。図３において示されているように、１つまたは複数のＳＳブロック（すなわちＳＳブロック＃１  ３１５、ＳＳブロック＃２  ３２０、およびＳＳブロック＃３  ３２５）が、ｘ  ｍｓのサイクルで周期的に送信されることが可能である。加えて、ＳＳブロック３１５、３２０、３２５のそれぞれは、ビームに関連付けられることが可能である。たとえば、６４個のビームが基地局（ＢＳ）によって使用される場合には、６４個のＳＳブロックがあることが可能であり、その場合、それぞれのビームは、自分のそれぞれの送信においてＳＳブロック３１５、３２０、３２５を含む。別の例においては、６４個のＳＳブロックは、１つのビームに割り振られることが可能である。
【００８５】
図３において示されているように、ＳＳブロック３１５、３２０、３２５は、プライマリー同期信号（ＰＳＳ）３５０、セカンダリー同期信号（ＳＳＳ）３５５、および物理ブロードキャストチャネル（ＰＢＣＨ）３６０、３６１、３６２を含むことが可能である。同期信号（すなわちＰＳＳ３５０およびＳＳＳ３５５）を検知した後に、ＷＴＲＵは、ＰＢＣＨ３６０、３６１、３６２をデコードすることが可能であり、そこからマスター情報ブロック（ＭＩＢ）が入手される。ＭＩＢは、セルへの最初のアクセスにとって必須の複数の最も頻繁に送信されるパラメータを含むことが可能である。ＭＩＢに加えて、ＰＢＣＨ３６０、３６１、３６２は、ＳＳブロック固有の構成など、ＳＳブロック３１５、３２０、３２５に関する必須の情報を搬送することが可能である。ＳＳブロック固有の構成は、ＳＳブロック番号、ＳＳブロック３１５、３２０、３２５に関連付けられているビームトラッキングエリア番号、およびその後の制御チャネル構成（たとえば、ＰＤＣＣＨおよびＰＤＳＣＨ）を含むことが可能であるが、それらには限定されない。ＳＳブロック固有の構成に基づいて、ＷＴＲＵは、それぞれのＳＳブロック３１５、３２０、３２５に関連付けられているブロードキャスティング信号をさらに受信することが可能である。たとえば、ＷＴＲＵは、それぞれのＳＳブロック３１５、３２０、３２５に関連付けられているシステム情報ブロック（ＳＩＢ）を、ＰＤＳＣＨを介して受信することが可能である。
【００８６】
上述されているように、ＳＳバースト３０５における１つまたは複数のＳＳブロック３１５、３２０、３２５は、１つまたは複数のビームに関連付けられることが可能である。ＳＳバースト３０５におけるＳＳブロック３１５、３２０、３２５の数は、ＢＳにおいて使用されるビームの数に基づいてＢＳ（たとえば、ｇＮＢ）によって特定されることが可能である。例においては、ＮＢビームがＢＳ（たとえば、ｇＮＢ）において使用される場合には、ＮＢ  ＳＳブロック３１５、３２０、３２５が、ＳＳバースト３０５において使用または送信されることが可能である。単一のＳＳバースト３０５においては、それぞれのＳＳブロック３１５、３２０、３２５は、ＰＳＳ３５０およびＳＳＳ３５５に関して同じまたは同様の同期情報を含むことが可能である。しかしながら、それぞれのＳＳブロック３１５、３２０、３２５は、そのそれぞれのビームに関連付けられているＳＳブロック３１５、３２０、３２５に固有であるそれぞれのＰＢＣＨ３６０、３６１、３６２に関する別々の構成情報（たとえば、別々のＳＳブロック番号）を含むことが可能である。
【００８７】
上述されているように、ページングメッセージをモニタするために、ページングチャネルのためにビームが使用されるビームベースのシステムにおけるＷＴＲＵ用にダウンリンク制御チャネル（たとえば、ＰＤＣＣＨまたはＮＲ−ＰＤＣＣＨ）が構成または定義される必要がある。一実施形態においては、ＷＴＲＵは、ページングメッセージに関してＰＤＣＣＨまたはＮＲ−ＰＤＣＣＨをモニタすることが可能であり、ＰＤＣＣＨまたはＮＲ−ＰＤＣＣＨリソースおよび／または探索空間が、ビーム固有の様式またはビーム共通の様式で構成、特定、または使用されることが可能である。
【００８８】
ビーム固有のシステムにおけるＰＤＣＣＨまたはＮＲ−ＰＤＣＣＨに関するビーム固有のページング機会（ＰＯ）が、本明細書において記述されている。ページングスロットが、ＮＲにおけるページングチャネルのために潜在的に使用されることが可能であるスロットとして定義、使用、または構成されることが可能である。ページングスロットは、ページングサイクル、セルＩＤ、ニューメロロジー（たとえば、サブキャリアスペーシング）、スロット長さ（たとえば、レギュラースロットまたはミニスロット）、および周波数帯域（たとえば、６ＧＨｚを下回る、または６ＧＨｚを上回る）のうちの少なくとも１つを含む１つまたは複数のパラメータを伴って構成されることが可能である。本明細書において使用される際には、ページングスロットという用語は、本開示を通じてページングフレーム、セル固有のページングスロット、およびページングリソースと言い換え可能に使用されることが可能である。ページングスロットは、ページングモニタリングのためのＰＤＣＣＨまたはＮＲ−ＰＤＣＣＨなどのダウンリンク制御チャネル、およびページングスロットに関連付けられているＰＤＳＣＨまたはＮＲ−ＰＤＳＣＨなどのダウンリンク共有チャネルを含むことが可能である。具体的には、ＷＴＲＵは、ページングモニタリング用に構成されているダウンリンク制御チャネルをモニタすることが可能である。ＷＴＲＵがダウンリンク制御チャネルにおいてＤＣＩを受信する場合には、ＤＣＩは、ページングメッセージを搬送することが可能であるＰＤＳＣＨのページング情報またはスケジューリング情報を含むことが可能である。あるいは、ページングスロットは、ページングモニタリングのみのためのＰＤＣＣＨまたはＮＲ−ＰＤＣＣＨを含むことが可能である。本明細書において使用される際には、ＰＤＣＣＨという用語は、本開示を通じてＮＲ−ＰＤＣＣＨ、制御リソースセット（ＣＯＲＥＳＥＴ）、探索空間、ページングのための探索空間、共通探索空間、およびページングのための共通探索空間と言い換え可能に使用されることが可能である。ＰＤＳＣＨという用語は、本開示を通じてＮＲ−ＰＤＳＣＨと言い換え可能に使用されることが可能である。
【００８９】
ページングブロックが、ＮＲにおけるページングチャネルのために潜在的に使用されることが可能である周波数リソースとして定義、使用、または構成されることが可能である。ページングブロックは、ページングチャネルに関連付けられているＰＤＣＣＨまたはＮＲ−ＰＤＣＣＨのために使用されることが可能である１つまたは複数の周波数リソースブロックであることが可能である。１つまたは複数のページングブロックが、ページングスロットに配置されること、およびセルＩＤ、ニューメロロジー（たとえば、サブキャリアスペーシング）、周波数帯域（たとえば、６ＧＨｚを下回る、または６ＧＨｚを上回る）、システム帯域幅、ページングブロックの数などのうちの少なくとも１つを含む１つまたは複数のパラメータを伴って構成されることが可能である。本明細書において使用される際には、ページングブロックという用語は、本開示を通じてページング周波数リソース、ページングサブバンド、ページングナローバンド、およびページング物理リソースブロックと言い換え可能に使用されることが可能である。
【００９０】
ページングリソースが、時間（たとえば、ページングスロット）および周波数（たとえば、ページングブロック）リソースとともに定義、使用、または構成されることが可能である。ページングリソースは、ＳＳブロックに関連付けられているＰＤＣＣＨ、またはより詳細には、ＷＴＲＵがＰ−ＲＮＴＩを用いてページングＤＣＩをモニタする共通探索空間と呼ばれることが可能である。
【００９１】
ページング機会（ＰＯ）は、ＷＴＲＵが、ＰＤＣＣＨまたはＮＲ−ＰＤＣＣＨにおけるページングチャネルに関連付けられているＤＣＩをモニタすること、デコードしようと試みること、または受信することが可能であるページングリソースとして定義、使用、または構成されることが可能である。ページング機会は、ページングチャネル受信のためにＷＴＲＵまたはＷＴＲＵのグループ用に構成または使用されるページングリソースとみなされることが可能である。ＷＴＲＵまたはＷＴＲＵのグループのためのページング機会は、ページングリソースのサブセットであることが可能である。ページングリソースのサブセットは、ＷＴＲＵ固有のパラメータ、セル固有のパラメータ、ニューメロロジー、周波数帯域などのうちの少なくとも１つに基づいて特定、構成、または使用されることが可能である。ＷＴＲＵ固有のパラメータの例は、ＷＴＲＵ−ＩＤ、ＤＲＸサイクル、ビームインデックス、ＢＰＬインデックス、および特定されたＳＳブロック、たとえば、ＳＳブロックインデックス、および最初のアクセス中のＳＳブロック時間ロケーションを含むことが可能であるが、それらには限定されない。セル固有のパラメータの例は、ページングリソース構成、ページングスロットサイクルなどを含むことが可能であるが、それらには限定されない。ニューメロロジーの例は、サブキャリアスペーシング、サイクリックプレフィックス長さなどを含むことが可能であるが、それらには限定されない。周波数帯域は、６ＧＨｚを下回ること、または６ＧＨｚを上回ることが可能である。加えて、１つまたは複数のページング機会（ＰＯ）が、ＷＴＲＵまたはＷＴＲＵのグループ用に構成または特定されることが可能であり、ＷＴＲＵまたはＷＴＲＵのグループは、ＰＯのサブセットをモニタすることが可能である。
【００９２】
一実施形態においては、ページングスロットが、ビームとＰＯとの間における関連付けによってビーム固有の様式で構成または特定されることが可能である。たとえば、ページングスロットは、ＳＳブロックに関して同じビームに関連付けられることが可能である。１つまたは複数のＳＳブロックが、ＳＳバーストにおいて使用されることが可能であり、それぞれのＳＳブロックは、ビームまたはビームペアリンク（ＢＰＬ）に関連付けられることが可能である。それぞれのＳＳブロックは、そのＳＳブロックの専用であることが可能であるページングスロットに関連付けられることも可能である。具体的には、ページングスロット長さがＳＳブロック長さとそろえられることが可能である。たとえば、Ｎsym  ＯＦＤＭシンボルがＳＳブロックのために使用される場合には、ページングスロット長さは、Ｎsym  ＯＦＤＭシンボルであることが可能である。
【００９３】
ＳＳブロックに関連付けられているページングスロットは、関連付けられているＳＳブロックのために使用される同じＯＦＤＭシンボルに配置されることが可能である。具体的には、少なくともＰＤＣＣＨまたはＮＲ−ＰＤＣＣＨに関して、ページングスロットは、ＳＳブロックのために使用されることが可能である同じＯＦＤＭシンボルに配置されることが可能である。ＳＳブロックまたはＳＳバーストのサブセットが、ＳＳブロックに関連付けられているページングスロットのために使用されることが可能である。たとえば、ＳＳブロックが２０ｍｓごとに送信される場合には、そのＳＳブロックに関連付けられているページングスロットは、２０×ｋ  ｍｓごととして構成されることが可能であり、ｋは、正の整数であることが可能である。ｋの値は、ＢＳ（たとえば、ｇＮＢ）によって構成されることが可能である。たとえば、ｋの値は、ブロードキャスティングチャネルにおいて示されることが可能であり、またはＳＳバーストにおけるＳＳブロックの数に基づいて特定されることが可能である。ｋの値は、ＳＳバーストにおけるＳＳブロックの数に基づいて増減されることが可能であり、その場合、ＳＳバーストにおけるＳＳブロックの数は、ブロードキャスティング信号において示されることが可能である。
【００９４】
ページングスロットに関するＳＳブロックのサブセットは、セル固有のパラメータ、周波数帯域、ＯＦＤＭシンボルの数などのうちの少なくとも１つから特定されることが可能である。具体的には、セル固有のパラメータは、セル固有のページングサイクル、システム帯域幅、ページングブロックの数、セルＩＤなどのうちの少なくとも１つを含むことが可能である。周波数帯域は、６ＧＨｚを下回ること、および／または６ＧＨｚを上回ることが可能である。ＯＦＤＭシンボルの数は、ＳＳブロックまたはＳＳブロックにおけるＰＢＣＨのために使用されることが可能である。
【００９５】
ＷＴＲＵは、ＳＳブロックに関連付けられているページングリソースがＳＳブロックとクアジコロケートされる（ＱＣＬされる）ことが可能である（たとえば、ＳＳブロックにおけるＰＢＣＨのＰＳＳ、ＳＳＳ、および／またはＤＭ−ＲＳ）と想定することが可能である。ＳＳブロックに関連付けられているページングリソースの例は、ページングに関してＷＴＲＵによってモニタされることが可能であるＰＤＣＣＨもしくはＮＲ−ＰＤＣＣＨの復調基準信号（ＤＭ−ＲＳ）、またはページングメッセージを搬送するＰＤＳＣＨもしくはＮＲ−ＰＤＳＣＨのＤＭ−ＲＳを含むことが可能であるが、それらには限定されない。具体的には、ＴＸおよび／またはＲＸビーム関連情報が、ＳＳブロックと、その関連付けられているページングリソースとの間においてＱＣＬされることが可能である。その上、すべてのＱＣＬパラメータ（たとえば、タイミング、ドップラースプレッド、遅延拡散、ビーム、周波数など）は、ＳＳブロックおよびその関連付けられているページングリソースに関してＱＣＬされると想定されることが可能である。
【００９６】
ＳＳブロックに関連付けられているページングスロットは、ＳＳブロックからの時間、周波数、および／またはオフセットに基づいて示されることが可能である。ＳＳブロックにおけるＰＢＣＨは、ＭＩＢにおけるページングスロットロケーション関連の情報、または最小システム情報（ＭＳＩ）を含むことが可能である。たとえば、ＭＩＢは、ページングスロット関連の情報を搬送することが可能であるビットフィールドを含むことが可能である。ＭＳＩは、ページングスロットロケーション関連の情報を含むことが可能である。ＭＳＩは、ＭＩＢによって構成されることが可能である共通のＰＤＣＣＨまたはＮＲ−ＰＤＣＣＨを介してスケジュールされることが可能である。ＭＳＩは、ビーム固有であることが可能である。したがってＭＳＩは、その関連付けられているＳＳブロックによってスケジュールされることが可能である。ＭＳＩ（または残りの最小ＳＩ（ＲＭＳＩ））に関する共通のＰＤＣＣＨまたはＮＲ−ＰＤＣＣＨは、ページングチャネルのために使用されることも可能である。ＷＴＲＵは、ＭＳＩ（またはＲＭＳＩ）およびページングに関して共通のＰＤＣＣＨまたはＮＲ−ＰＤＣＣＨをモニタすることが可能であり、その場合、ＭＳＩ（またはＲＭＳＩ）に関するＤＣＩ、およびページングに関するＤＣＩは、ＲＮＴＩによって識別されることが可能である。たとえば、ＭＳＩ−ＲＮＴＩは、ＭＳＩ（またはＲＭＳＩ）のために使用されるＤＣＩのＣＲＣをスクランブルするために使用されることが可能であり、Ｐ−ＲＮＴＩは、ページングチャネルのために使用されるＤＣＩのＣＲＣをスクランブルするために使用されることが可能である。ＭＳＩおよびページングチャネルに関するＤＣＩサイズは同じであることが可能である。
【００９７】
共通のＮＲ−ＰＤＣＣＨに関するタイムスロットが、ＳＳブロックに基づいて定義、構成、または使用されることが可能である。たとえば、共通のＮＲ−ＰＤＣＣＨに関するタイムスロットは、ＳＳブロックのために使用される同じ数のＯＦＤＭシンボルを有することが可能である。共通のＮＲ−ＰＤＣＣＨは、ＳＳブロックに関連付けられることが可能であり、ＳＳブロックに関連付けられている共通のＮＲ−ＰＤＣＣＨに関するタイムスロットは、そのＳＳブロックのために使用される同じＯＦＤＭシンボルに配置されることが可能である。共通のＮＲ−ＰＤＣＣＨに関するタイムスロットは、その共通のＮＲ−ＰＤＣＣＨがページングチャネルのために使用されることが可能である場合には、ページングスロットと言い換え可能に使用されることが可能である。共通のＮＲ−ＰＤＣＣＨに関するタイムスロットは、共通のＮＲ−ＰＤＣＣＨタイムスロット、共通のＮＲ−ＰＤＣＣＨに関するスロット、共通のタイムスロット、ビーム固有のタイムスロット、およびビーム固有の共通のＮＲ−ＰＤＣＣＨタイムスロットと言い換え可能に使用されることが可能である。
【００９８】
図４は、本明細書において記述されているその他の実施形態の任意の組合せにおいて使用されることが可能である、新無線物理ダウンリンク制御チャネル（ＮＲ−ＰＤＣＣＨ）および新無線物理ダウンリンク制御チャネル（ＮＲ−ＰＤＳＣＨ）に関する関連付けタイプ４０５、４１０、４１２の例４００を示している。図４において示されているように、１つまたは複数の関連付けタイプ４０５、４１０、４１２は、ブロードキャスティングおよびページングチャネル用にＮＲ−ＰＤＣＣＨおよび／またはＮＲ−ＰＤＳＣＨのために使用されることが可能である。たとえば、第１のタイプ（たとえば、タイプＡ  ４０５）は、ＮＲ−ＰＤＣＣＨ４４５およびＮＲ−ＰＤＳＣＨ４５０送信のためのタイムスロットを使用することが可能である。タイプＡの関連付け４０５においては、ＳＳブロック＃１  ４１５に関連付けられているＮＲ−ＰＤＣＣＨ４４５が、タイムスロットにおいて最初に送信されることが可能である。次のタイムスロットまたはその後のタイムスロットにおいては、ＮＲ−ＰＤＣＣＨ４４５に関連付けられているＮＲ−ＰＤＳＣＨ４５０（またはＳＳブロック＃１  ４３０）が、ｘ  ｍｓの期間を伴って送信されることが可能である。第２のタイプ（すなわちタイプＢ  ４１０）は、ＮＲ−ＰＤＣＣＨ４５５およびその関連付けられているＮＲ−ＰＤＳＣＨ４６０の両方の送信のためのタイムスロットを使用することが可能である。タイプＢの関連付け４１０においては、ＳＳブロック＃１  ４１５に関連付けられているＮＲ−ＰＤＣＣＨ４５５およびＮＲ−ＰＤＳＣＨ４６０が、タイムスロットにおいてともに送信されることが可能である。次のタイムスロットまたはその後のタイムスロットにおいては、ＳＳブロック＃１  ４３０に関連付けられているＮＲ−ＰＤＣＣＨ４６５およびＮＲ−ＰＤＳＣＨ４７０が、ともに送信されることが可能である。第１のタイムスロットにおけるＮＲ−ＰＤＣＣＨ４５５およびＮＲ−ＰＤＳＣＨ４６０、ならびにその後のタイムスロットにおけるＮＲ−ＰＤＣＣＨ４６５およびＮＲ−ＰＤＳＣＨ４７０は、ページング機会とみなされることが可能であり、それぞれのページング機会は、同じまたは別々のページング情報を含むことが可能である。第３のタイプ（すなわちタイプＣ  ４１２）は、ＮＲ−ＰＤＣＣＨ４７５のためのタイムスロットを使用することが可能であり、その一方で、その関連付けられているＮＲ−ＰＤＳＣＨ４８０の送信は、ＮＲ−ＰＤＣＣＨ４７５のＤＣＩにおいて示されることが可能である。タイプＣの関連付け４１２においては、ＳＳブロック＃１  ４１５に関連付けられているＮＲ−ＰＤＣＣＨ４７５が、タイムスロットにおいて最初に送信されることが可能である。次のタイムスロットまたはその後のタイムスロットにおいては、ＮＲ−ＰＤＣＣＨ４７５に関連付けられているＮＲ−ＰＤＳＣＨ４８０が、ｙ  ｍｓの期間を伴って送信されることが可能であり、そのｙ  ｍｓの期間は、ＮＲ−ＰＤＣＣＨ４７５のＤＣＩにおいて示されること、または事前に特定されることが可能である。
【００９９】
本明細書において記述されている関連付けタイプ４０５、４１０、４１２は、ダウンリンクチャネルに基づいて特定されることが可能である。たとえば、第１の関連付けタイプ（すなわちタイプＡ  ４０５）は、ＭＳＩのために使用されることが可能であり、第２の関連付けタイプ（すなわちタイプＢ  ４１０）は、ページングチャネルのために使用されることが可能である。関連付けタイプは、周波数帯域に基づいて特定されることも可能である。たとえば、第１の関連付けタイプ（すなわちタイプＡ  ４０５）は、６ＧＨｚを上回る周波数帯域のために使用されることが可能であり、第２の関連付けタイプ（すなわちタイプＢ  ４１０）は、６ＧＨｚを下回る周波数帯域のために使用されることが可能である。
【０１００】
第１のタイプ（すなわちタイプＡ  ４０５）に関しては、タイムスロットのサイクル（たとえば、ｘ  ｍｓ）は、事前に特定されること、またはブロードキャスティング信号（たとえば、ＭＩＢまたはＭＳＩ）を介して構成されることが可能である。第２のタイプ（すなわちタイプＢ  ４１０）に関しては、ＮＲ−ＰＤＳＣＨ４６０、４７０に割り当てられる周波数リソースは、関連付けられているＮＲ−ＰＤＣＣＨ４５５、４６５において示されることが可能である。第３のタイプ（すなわちタイプＣ  ４１２）に関しては、ＷＴＲＵは、関連付けられているＳＳブロック（たとえば、ＳＳブロック＃１  ４１５）とそろえられることが可能であるタイムスロットにおけるＮＲ−ＰＤＣＣＨ４７５をモニタすることが可能であり、その関連付けられているＮＲ−ＰＤＳＣＨ４８０は、ＮＲ−ＰＤＣＣＨ４７５のＤＣＩにおいて示されることが可能である。関連付けられているＮＲ−ＰＤＳＣＨ４８０に関する候補時間オフセットは、ＳＳブロック４３０、４３５、４４０（またはそのＮＲ−ＰＤＣＣＨに関連付けられていない場合があるその他のＳＳブロック）と重ね合わされないことが可能であるタイムスロットであることが可能である。
【０１０１】
一実施形態においては、１つまたは複数の制御チャネルリソースセット（ＣＯＲＥＳＥＴ）が、ページング時間リソースにおいて構成されることが可能であり、１つまたは複数のＣＯＲＥＳＥＴは、異なる周波数リソースに配置されることが可能である。１つまたは複数の周波数リソース（たとえば、ＣＯＲＥＳＥＴ）のページング周波数リソース（たとえば、ＣＯＲＥＳＥＴ）が、ページングメッセージに関してモニタするためにＷＴＲＵまたはグループＷＴＲＵ用に使用、特定、または構成されることが可能である。ページング周波数リソースは、ビーム関連情報に基づいて特定されることが可能である。
【０１０２】
ページング周波数リソースは、関連付けられているＳＳブロックに基づいて特定されることが可能である。たとえば、ＳＳブロック時間インデックスと、ページング周波数リソースの数とに基づいてモジュロ演算が使用されることが可能である。代替として、または追加として、ページング周波数リソースは、ブロードキャスティング信号において提供されることが可能である１つまたは複数のビームインデックスに基づいて特定されることが可能である。
【０１０３】
別の実施形態においては、単一のＳＳブロックが、１つまたは複数のビームに関連付けられることが可能であり、単一のＳＳブロックのために使用されるビームの数は、関連付けられているブロードキャスティング信号において示されることが可能である。ＳＳブロックのために使用される１つまたは複数のビームは、ビームグループ（またはＴＸビームグループ）と呼ばれることが可能である。周波数リソースの数、およびその関連付けられている構成パラメータは、システム情報（たとえば、残りの最小システム情報（ＲＭＳＩ）またはその他のシステム情報（ＯＳＩ））において送信されることが可能である。
【０１０４】
別の実施形態においては、ＮＲ−ＰＤＣＣＨリソース（たとえば、ページングリソースまたはＤＣＩ）は、すべてのＳＳブロックにとって共通であることが可能であり、ＮＲ−ＰＤＣＣＨリソースは、複数のＳＳブロックにわたって配置されることが可能である。関連付けられているＮＲ−ＰＤＳＣＨに関するタイムスロットは、ＮＲ−ＰＤＣＣＨにおいて示されることが可能であり、関連付けられているＮＲ−ＰＤＳＣＨに関する候補タイムスロットは、ＮＲ−ＰＤＳＣＨのために使用されるビームまたはＢＰＬに基づくことが可能である。関連付けられているＮＲ−ＰＤＳＣＨに関するタイムスロットは、ＳＳブロックインデックスとともに示されることが可能である。たとえば、ＮＲ−ＰＤＳＣＨが、ＳＳブロックのために使用されるビームとともに送信される場合には、ＳＳブロックインデックスは、ＮＲ−ＰＤＣＣＨにおいて示されることが可能であり、ＳＳブロックインデックスは、ＮＲ−ＰＤＳＣＨを含むタイムスロットを特定することが可能である。
【０１０５】
さらに別の実施形態においては、最小ＳＩ（ＭＳＩ）、その他のＳＩ（ＯＳＩ）、ＲＡＣＨ、および／またはページングのうちの１つまたは複数に関するＮＲ−ＰＤＣＣＨリソースが、時間オフセット、周波数オフセット、ＮＲ−ＰＤＣＣＨリソースのサイクルなどのうちの少なくとも１つに基づいて特定されることが可能である。時間オフセットおよび周波数オフセットは、関連付けられているＳＳブロックからのものであることが可能である。時間オフセットおよび周波数オフセットは、関連付けられているＳＳブロックにおけるＰＢＣＨにおいて示されることが可能である。ＮＲ−ＰＤＣＣＨリソースのサイクルは、デフォルトサイクル（たとえば、２０ｍｓなどのＳＳバーストのサイクル）に基づいて使用されることが可能である。
【０１０６】
ビーム共通のページング機会が、本明細書において記述されている。ページングフレーム（またはページングスロット、ページング機会）が、ビーム共通の様式で定義、使用、または構成されることが可能である。したがって、ＰＯのうちの１つまたは複数が、ＷＴＲＵによって選択、使用、または特定されるＳＳブロックにかかわらずにＷＴＲＵ用に特定または構成されることが可能である。ページングフレーム（ＰＦ）は、セル固有のページングリソースとみなされることまたは呼ばれることが可能である。ページング機会（ＰＯ）は、ＷＴＲＵがページングメッセージをモニタすることまたは受信しようと試みることが可能であるページングリソースとみなされることまたは呼ばれることが可能である。
【０１０７】
ＳＳバーストに関する時間リソースは、ページングフレーム用に使用または構成されることが可能である。ＳＳバーストは、１つまたは複数のＳＳブロックを含むことが可能であり、デューティーサイクルを伴って送信されることが可能である。したがって、時間ウィンドウにおいて利用可能なまたは使用されるページングフレームの数は、ＳＳバーストのデューティーサイクルに基づいて特定されることが可能である。たとえば、ＳＳバーストのデューティーサイクルがより短い場合には、より多くの数のページングフレームが使用されることが可能である。
【０１０８】
ページングフレーム（またはページング機会）においては、ページングメッセージを搬送するＮＲ−ＰＤＳＣＨをスケジュールするために使用されることが可能であるダウンリンク制御情報（ＤＣＩ）が、ＳＳバーストにおけるＳＳブロックのために使用されるすべてのビームにわたって送信または受信されることが可能である。たとえば、Ｎ個のＳＳブロックがＳＳバーストに配置されている場合には、Ｎ個の制御チャネルリソースセット（たとえば、ＣＯＲＥＳＥＴまたはＮＲ−ＰＤＣＣＨ  ＣＯＲＥＳＥＴ）が使用または構成されることが可能であり、それぞれのＣＯＲＥＳＥＴは、ＳＳブロックに関連付けられることが可能である。ＷＴＲＵは、ＤＣＩがＮ個のＣＯＲＥＳＥＴにわたって繰り返し送信されることが可能であると想定することが可能であり、ＮＲ−ＰＤＣＣＨ候補の同じセット（または制御チャネル要素（ＣＣＥ）のセット）は、ＤＣＩの繰り返しの送信のために使用されることが可能である。
【０１０９】
それぞれのＣＯＲＥＳＥＴにおけるＮＲ−ＰＤＣＣＨ候補のサブセット（たとえば、探索空間、開始ＣＣＥインデックス）は、（１）セル固有のパラメータのうちの１つまたは複数（たとえば、セルＩＤ、フレーム番号、スロット番号など）、（２）ＳＳブロック固有のパラメータのうちの１つまたは複数（たとえば、ＳＳブロック時間インデックス、関連付けられているＳＳブロックのＰＢＣＨにおいて示されているパラメータ）、（３）Ｐ−ＲＮＴＩ（たとえば、ページングモニタリングのために使用されるＲＮＴＩ）、（４）ビーム関連情報のうちの１つまたは複数（たとえば、ビームアイデンティティーインデックス）、および（５）ＲＸビームグループ（たとえば、ＷＴＲＵは、ページング受信のためのＲｘビームのセットを特定することが可能である）のうちの少なくとも１つの関数として特定されることが可能である。ページングモニタリングのためのＲＸビームグループは、ＷＴＲＵがアイドルモードに陥る前に使用される最新のＲＸビームグループであることが可能である。ＲＸビームグループが変更された場合には、ＷＴＲＵは、（たとえば、ＰＲＡＣＨリソースを使用して）ＲＸビームグループインデックスを更新することが可能である。
【０１１０】
ＷＴＲＵは、ページングモニタリングのためにＣＯＲＥＳＥＴのサブセットをモニタすることを決定することが可能である。たとえば、ＷＴＲＵは、それがページングをモニタすることまたはページング受信を試みることを開始する前に、ＳＳブロックの測定に基づいてＣＯＲＥＳＥＴのサブセットを最初に特定することが可能である。ＷＴＲＵは次いで、ＣＯＲＥＳＥＴの特定されたサブセット内でページングメッセージをモニタすることまたは受信しようと試みることが可能である。それぞれのＣＯＲＥＳＥＴのＤＭ−ＲＳは、関連付けられているＳＳブロックのＰＢＣＨのＳＳＳおよび／またはＤＭ−ＲＳとＱＣＬされることが可能である。
【０１１１】
一実施形態においては、ページングメッセージを搬送するＮＲ−ＰＤＳＣＨのスケジューリングのためのＤＣＩは、システム情報更新に関連した直接表示のために使用されることが可能である。具体的には、ＤＣＩがＮＲ−ＰＤＳＣＨスケジューリング情報または直接表示関連の情報を搬送しているかどうかを示すために、ＤＣＩにおけるフラグビットが使用されることが可能である。フラグビットが「真」に設定されている場合には、ＤＣＩビットのうちの残りは、ＮＲ−ＰＤＳＣＨスケジューリング情報を伴わずに直接表示のために使用されることが可能である。フラグビットが「偽」に設定されている場合には、ＤＣＩビットのうちの残りは、ＮＲ−ＰＤＳＣＨスケジューリングのために使用されることが可能である。直接表示は、（１）システム情報更新（たとえば、ＭＩＢ、ＲＭＳＩ更新、および／またはＯＳＩ更新）、（２）ＳＳバーストにおけるＳＳブロックの数の変更または更新、（３）ＳＳバーストデューティーサイクルの更新、（４）公共警報（たとえば、ＥＴＷＳ、ＣＭＡＳなど）、（５）グラントフリーアップリンクリソース更新に関する構成、ならびに（６）ダウンリンクビーム（たとえば、ＳＳブロック）のセットに関連付けられているアップリンクリソースのセットの更新のうちの１つまたは複数を含むことが可能である。ＷＴＲＵがウェイクアップ信号を受信した場合には、ＷＴＲＵは、示されているまたは構成されているアップリンクリソースのセットを使用することによって、ビーム関連情報または選択されたビームの表示を送ることが可能である。
【０１１２】
別の実施形態においては、ＤＣＩは、ＮＲ−ＰＤＳＣＨスケジューリング、直接表示、およびビーム関連情報更新のために使用されることが可能である。たとえば、２つのフラグビットがＤＣＩにおいて使用されることが可能である。ＤＣＩがＮＲ−ＰＤＳＣＨスケジューリング情報を搬送しているということを示すために、フラグの第１の状態（たとえば、「００」）が使用されることが可能である。ＤＣＩがＮＲ−ＰＤＳＣＨスケジューリング情報を伴わずにシステム情報更新の直接表示を搬送しているということを示すために、フラグの第２の状態（たとえば、「０１」）が使用されることが可能である。ＤＣＩがＮＲ−ＰＤＳＣＨスケジューリング情報を伴わずにビーム関連情報更新を搬送しているということを示すために、フラグの第３の状態（たとえば、「１０」）が使用されることが可能である。ビーム関連情報は、（１）ＳＳバーストにおけるＳＳブロックの数、（２）ＳＳバーストデューティーサイクル、および（３）オフにされているＳＳブロックのセットまたはサブセット（またはオン／オフＳＳブロックステータス）のうちの少なくとも１つを含むことが可能である。たとえば、ＢＳ（たとえば、ｇＮＢ）は、ＳＳブロック（たとえば、ビーム）のオン／オフを動的に切り替えることが可能であり、ＢＳは、どのＳＳブロックがオンまたはオフであるかを示すことが可能である。ＷＴＲＵが、オフにされることが可能であるＳＳブロックをモニタした場合には、ＷＴＲＵは、ＳＳバースト内での新たなビーム検索、または最初のセル検索という手順のうちの１つまたは複数をトリガーまたは開始することが可能である。ビーム関連情報は、共通探索空間（またはグループ共通のＮＲ−ＰＤＣＣＨ）に関するＴＸビームグループをさらに含むことが可能である。
【０１１３】
マルチ全放射電力（ＴＲＰ）ベースのページング機会が、本明細書において記述されている。ＷＴＲＵは、１つまたは複数のビームが動的な様式でブロックされるケースに関する堅牢性を提供するために、１つまたは複数のＴＲＰに関連付けられているＰＯをモニタすることが可能である。
【０１１４】
一実施形態においては、ＳＳバーストにおける１つまたは複数のＳＳブロックは、ビームに関連付けられることが可能である。ＳＳバースト内の複数のＳＳブロックがビームに関連付けられている場合には、それらのＳＳブロックは、ビームの点でＱＣＬされていると想定されることまたはみなされることが可能である。ビームの点でＱＣＬされているＳＳブロックは、それらのＳＳブロックのＰＳＳ、ＳＳＳ、および／またはＤＭ−ＲＳが、１つまたは複数のＱＣＬパラメータ（たとえば、空間Ｒｘパラメータ）の点でＱＣＬされているということを示すことが可能である。
【０１１５】
図５は、本明細書において記述されているその他の実施形態の任意の組合せにおいて使用されることが可能である、複数のＳＳブロック５１５、５３０が同じビーム５４０に関連付けられている場合のＳＳバースト５０５におけるＳＳブロック５１５、５２０、５２５、５３０、５３５の間でのクアジコロケーション（ＱＣＬ）関連付けの例５００を示している。図５において示されているように、ＳＳブロック＃１  ５１５およびＳＳブロック＃４  ５３０は、同じビーム＃３  ５４０に関連付けられることが可能である。その他のＳＳブロック５２０、５２５、５３５は、別のビーム５４５、５５０、５６０に関連付けられることが可能である。たとえば、ＳＳブロック＃２  ５２０は、ビーム＃１  ５４５に関連付けられることが可能であり、ＳＳブロック＃３  ５２５は、ビーム＃５５０に関連付けられることが可能であり、ＳＳブロック＃Ｎ  ５３５は、ビーム＃５  ５６０に関連付けられることが可能である。図５において示されているように、ＳＳブロック＃１  ５１５およびＳＳブロック＃４  ５３０は、少なくともビーム（たとえば、ビーム＃３  ５４０）に関してＱＣＬされている５７５とみなされること、想定されること、または示されることが可能である。しかしながら、ＳＳブロック＃１  ５１５およびＳＳブロック＃３  ５２５は、ＱＣＬされていない５７０とみなされることまたは想定されることが可能である。なぜなら、別々のビーム（たとえば、ビーム＃３  ５４０およびビーム＃２  ５５０）が、それらのＳＳブロック５１５、５２５に関連付けられているからである。ＳＳブロック５１５、５２０、５２５、５３０、５３５（たとえば、ＳＳブロックにおけるＰＢＣＨのＳＳＳおよび／またはＤＭ−ＲＳ）、ならびにその関連付けられているＰＯ（たとえば、関連付けられているＰＯに関するＮＲ−ＰＤＣＣＨおよび／またはＮＲ−ＰＤＳＣＨのＤＭ−ＲＳ）は、ＱＣＬされることが可能である。ＷＴＲＵは、ＳＳブロック５１５、５２０、５２５、５３０、５３５、およびその関連付けられているＰＯがＱＣＬされることが可能であると想定することが可能である。
【０１１６】
一実施形態においては、ＢＳは、ＳＳバースト内のＳＳブロックどうしの間におけるＱＣＬ関連付けをＷＴＲＵに示すことが可能である。たとえば、同じビームに関連付けられているＳＳブロックどうしのサブセットが、ＷＴＲＵに示されることが可能である。ＱＣＬ関連付けに基づいて、ＷＴＲＵは、時間／周波数トラッキングおよび／またはビーム測定のさらに高い精度のためにＳＳバースト内の１つまたは複数のＳＳブロックを組み合わせること、蓄積すること、または使用することが可能である。具体的には、最小ＳＩが、ＳＳブロックどうしの間におけるＱＣＬ関連付けを含むことが可能である。ＳＳブロックどうしの１つまたは複数の組合せまたはサブセットが、事前に定義されることが可能であり、それらの組合せまたはサブセットのうちの少なくとも１つが、最小ＳＩにおいてＷＴＲＵに示されることが可能である。その上、それぞれのＳＳブロックにおけるＰＢＣＨが、ＱＣＬ関連付け情報を含むことが可能である。たとえば、同じビームとともに使用される、または同じビームに関連付けられているＳＳブロックインデックスどうしが、ＭＩＢにおいて示されることが可能である。ＳＳバーストにおけるＳＳブロックの数がＮSSである場合には、どのＳＳブロックどうしが同じビームに関連付けられているかを示すために、ＮSS個のビットマップが使用されることが可能である。ＳＳブロックどうしの１つまたは複数のサブセットが、事前に定義されることが可能であり、それらのサブセットのうちの少なくとも１つが、ＭＩＢにおいて示されることが可能である。
【０１１７】
どのビームに関連付けられているかを示すために、ＰＳＳまたはＳＳＳ用に同じシーケンスが使用されることが可能である。たとえば、ＷＴＲＵは、１つまたは複数のＳＳブロックに関してＰＳＳまたはＳＳＳ用に使用されているシーケンスを検知することが可能である。ＳＳバーストにおける１つまたは複数のＳＳブロックに関して同じシーケンスが使用されている場合には、ＷＴＲＵは、それらのＳＳブロックがＱＣＬされている、またはそれらのＳＳブロックが同じビームに関連付けられていると想定することが可能である。
【０１１８】
別の実施形態においては、それぞれのＳＳブロックにおいてビームＩＤが示されることが可能である。上述されているように、ＳＳバーストは、複数のＳＳブロック（たとえば、６４個までのＳＳブロック）を含むことが可能であり、それぞれのＳＳブロックは、ビームに関連付けられることが可能である。したがって、ＳＳブロックに関連付けられている複数のビーム（たとえば、６４個までのビーム）が存在することが可能である。ＳＳブロックにおけるＰＢＣＨ内のビットフィールドは、どのビームがＳＳブロックに関連付けられることが可能であるかを示すことが可能である。たとえば、ビームＩＤを示すために６つのビットが使用されることが可能である。このビームＩＤは、それぞれのＳＳブロックのＰＢＣＨ内に含まれることが可能である。２つ以上のＳＳブロックに関してビームＩＤが同じである場合には、ＷＴＲＵは、それらの２つ以上のＳＳブロックがＱＣＬされている、またはそれらの２つ以上のＳＳブロックが同じビームに関連付けられていると想定することまたはみなすことが可能である。ＷＴＲＵは、ＳＳバースト内の同じビームに関連付けられている１つまたは複数のＳＳブロックからのビーム品質を測定することも可能である。ＷＴＲＵの観点からはビームそのものはＷＴＲＵにとってトランスペアレントであるので、ＷＴＲＵは、ダウンリンク信号（たとえば、ＳＳブロック）を使用してビームの品質を測定することが可能である。たとえば、ＷＴＲＵは、６４個のビームに関する６４個のダウンリンク信号に基づいて６４個のビーム品質を測定することが可能である。それぞれのＳＳブロックにおけるＰＢＣＨのＣＲＣは、ビームＩＤを用いてマスクされることが可能である。
【０１１９】
ビームグループを伴うＷＴＲＵモニタリングページング機会（ＰＯ）が、本明細書において記述されている。ＰＯは、最初のアクセス手順中に特定されるビームに基づいて特定されることが可能である。ＷＴＲＵは、１つまたは複数のビームに関連付けられることが可能であるＰＯをモニタすることが可能である。具体的には、ＷＴＲＵは、ダウンリンク信号（たとえば、ＳＳブロック）からビームのサブセット（たとえば、１つまたは複数のビーム）を特定することが可能である。ビームのサブセットが複数のビームを含む場合には、ビームのそのサブセットは、複数のＳＳブロック（たとえば、ＳＳブロックのサブセット）に関連付けられることが可能である。ビームの１つまたは複数のサブセットにおけるそれぞれのビームは、重ね合わされないこと、または部分的に重ね合わされることが可能である。ビームのサブセットは、ビームトラッキングエリア（ＢＴＡ）、ビームグループ、ページングビームグループ、ページングビームトラッキングエリア、およびページングビームサブセットと言い換え可能に使用されることが可能である。
【０１２０】
ビームの１つまたは複数のサブセットは、事前に特定されることまたは事前に定義されることが可能であり、ビームのサブセットは、ＳＳブロックのビーム品質測定に基づいて選択または特定されることが可能である。たとえば、ＷＴＲＵは、ビームのすべてのサブセットにおけるＳＳブロックのビーム品質を測定することが可能であり、ＷＴＲＵは、最も高いビーム品質を提供するＳＳブロックを特定することが可能である。ＷＴＲＵは次いで、ＳＳブロックの最も高いビーム品質が含まれているビームのサブセット（または最も高いビーム品質に対応するＳＳブロック）を選択することが可能である。ＷＴＲＵは、構成情報上でビームの選択されたサブセット内のそれぞれのビームに関するビーム固有のＰＯを特定することも可能である。
【０１２１】
ＷＴＲＵは、ビームのサブセットもしくはＳＳブロックのサブセットに関連付けられているＰＯ（またはビームもしくはＳＳブロックのサブセットに関連付けられているビームトラッキングエリア）をモニタすることが可能である。ＰＯをモニタすることの第１のタイプにおいては、ＷＴＲＵは、ビームのサブセットに関連付けられているすべてのＰＯをモニタすることが可能である。ＰＯをモニタすることの第２のタイプにおいては、ＷＴＲＵは、ビームのサブセットに関連付けられているＰＯのサブセットをモニタすることが可能である。具体的には、ＰＯのサブセットは、ビームのサブセット内で最も高いビーム品質を有することが可能であるビーム（または最良のビーム）に関連付けられることが可能である。ＰＯをモニタすることのタイプは、ネットワークによって示されることが可能である。たとえば、ネットワークは、ビームのサブセットに関連付けられているＰＯのサブセットをＷＴＲＵがモニタすることが可能であるかどうかを示すことが可能である。そうでない場合には、ＷＴＲＵは、ビームのサブセットに関連付けられているすべてのＰＯをモニタすることを必要とする可能性がある。
【０１２２】
図６は、本明細書において記述されているその他の実施形態の任意の組合せにおいて使用されることが可能である、ＳＳバースト６０５におけるページングモニタリングに関するビームトラッキングエリア（ＢＴＡ）６１７、６２７、６３７、６４７の例６００を示している。図６において示されているように、ＢＳ６１０は、複数のビーム（すなわち、ビームａ  ６５０、ビームｂ  ６５５、ビームｃ  ６６０、ビームｄ  ６６５、ビームｅ  ６７０、ビームｆ  ６７５、およびビームｐ  ６８０）を送信することが可能である。それぞれのビーム６５０、６５５、６６０、６６５、６７０、６７５、６８０は、縦／横ドメインに基づいて間隔を空けられることが可能である。たとえば、ビームａ  ６５０は、縦９０度および横０度に向けられることが可能である。ビームｃ  ６６０は、縦９０度および横６０度に向けられることが可能である。したがって、ビームａ  ６５０およびビームｃ  ６６０は、同じ縦ドメインに、ただし異なる横ドメインに配置されることが可能である。同様に、ビームｅ  ６７０は、縦６０度および横０度に向けられることが可能である。このケースにおいては、ビームａ  ６５０およびビームｅ  ６７０は、同じ横ドメインに、ただし異なる縦ドメインに配置されることが可能である。
【０１２３】
上述されているように、それぞれのビーム６５０、６５５、６６０、６６５、６７０、６７５、６８０は、そのそれぞれのＳＳブロック６１５、６２０、６２５、６３０、６３５、６４０、６４５に関連付けられることが可能である。たとえば、図６において示されているように、ビームａ  ６５０は、ＳＳブロック＃１  ６１５に関連付けられることが可能であり、ビームｂ  ６５５は、ＳＳブロック＃２  ６２０に関連付けられることが可能である。同様に、ビームｆ  ６７５は、ＳＳブロック＃６  ６４０に関連付けられることが可能であり、ビームｐ  ６８０は、ＳＳブロック＃Ｎ  ６４５に関連付けられることが可能である。１つもしくは複数のＳＳブロック６１５、６２０、６２５、６３０、６３５、６４０、６４５（または１つもしくは複数のビーム６５０、６５５、６６０、６６５、６７０、６７５、６８０）は、ビームトラッキングエリア６１７、６２７、６３７、６４７に基づいてＳＳブロックのサブセット（またはビームのサブセット）へとグループ化されることも可能である。たとえば、ＳＳブロック＃１  ６１５およびＳＳブロック＃２  ６２０は、ビームトラッキングエリア＃１  ６１７に対応するＳＳブロックの第１のサブセットへとグループ化されることが可能である。ＳＳブロック＃１  ６１５はビームａ  ６５０に関連付けられており、ＳＳブロック＃２  ６２０はビームｂ  ６５５に関連付けられているので、ビームａ  ６５０およびｂ  ６５５を含むビームのサブセットは、ビームトラッキングエリア＃１  ６１７と言い換え可能に呼ばれることが可能である。同様に、ＳＳブロック＃３  ６２５およびＳＳブロック＃４  ６３０は、ビームトラッキングエリア＃２  ６２７に対応するＳＳブロックの第２のサブセットへとグループ化されることが可能である。ＳＳブロック＃５  ６３５およびＳＳブロック＃６  ６４０は、ビームトラッキングエリア＃３  ６３７に対応するＳＳブロックの第３のサブセットへとグループ化されることが可能である。したがってＳＳバースト６０５は、ＳＳブロック６１５、６２０、６２５、６３０、６３５、６４０、６４５の数、および／またはビーム６５０、６５５、６６０、６６５、６７０、６７５、６８０の数に基づいてＫ個のビームトラッキングエリア（ビームトラッキングエリア＃１  ６１７からビームトラッキングエリア＃Ｋ  ６４７まで）を含むことが可能である。本明細書において使用される際には、ビームトラッキングエリアという用語は、本開示を通じてビームトラッキングエリア番号またはビームトラッキングエリアインデックスと言い換え可能に使用されることが可能である。
【０１２４】
一実施形態においては、ビームトラッキングエリアインデックスが使用されることが可能であり、それぞれのＳＳブロックは、ビームトラッキングエリア情報を含むことが可能である。たとえば、ＳＳブロックにおけるＰＢＣＨは、ビームトラッキングエリアインデックスを含むことが可能である。具体的には、ビームトラッキングエリアの数は、ＳＳバーストにおいて使用されるビームの数に基づいて特定されることが可能である。ＳＳバーストにおけるＳＳブロックの数は、ビームトラッキングエリアの数を特定するために使用されることも可能である。ビームトラッキングエリアにおけるビームは、上述のように空間ドメイン（たとえば、縦および／または横）において位置特定されることも可能である。最後に、ビームトラッキングエリアにおけるビームは、空間ドメインにおいて均等に分散されることが可能である。
【０１２５】
図７は、本明細書において記述されているその他の実施形態の任意の組合せにおいて使用されることが可能である、ＳＳバースト７０５におけるページングモニタリングに関するビームトラッキングエリア（ＢＴＡ）７１７、７２７の別の例７００を示している。図７において示されているように、ＢＳ７１０は、ＳＳバースト７０５においてＮ個のＳＳブロックを有することが可能であり、それぞれのＳＳブロックは、ビーム（たとえば、７４０、７４５、７５０、７５５、７６０）に関連付けられることが可能である。図７においては示されていないが、ＢＳ７１０は、ＳＳバースト７０５においてＮ個まで（たとえば、Ｎ＝６４）のビームを使用することが可能である。それぞれのビーム７４０、７４５、７５０、７５５、７６０は、ＰＤＣＣＨを介して１つのページングリソース（たとえば、ページングＤＣＩ）を送信するために１つの時間ユニットを占めることが可能である。これは、ＢＳ７１０が、ＷＴＲＵがページングメッセージに関してモニタする必要がある制御チャネル（たとえば、ＰＤＣＣＨ）を示すために、５つのビーム７４０、７４５、７５０、７５５、７６０を介して同じページングリソースをＷＴＲＵへ５回送信することが可能であるということを意味している。
【０１２６】
図７において示されているように、それぞれのビーム７４０、７４５、７５０、７５５、７６０は、そのそれぞれのＳＳブロック７１５、７２０、７２５、７３０、７３５に関連付けられることが可能である。たとえば、ビーム１  ７４０およびビーム２  ７４５は、それぞれＳＳブロック＃１  ７１５およびＳＳブロック＃２  ７２０に関連付けられることが可能である。ＳＳブロック＃１  ７１５およびＳＳブロック＃２  ７２０は、ビームトラッキングエリア＃１  ７１７に対応するＳＳブロックの第１のサブセットへとグループ化されることが可能である。同様に、ビーム３  ７５０およびビーム４  ７５５は、それぞれＳＳブロック＃３  ７２５およびＳＳブロック＃４  ７３０に関連付けられることが可能である。ＳＳブロック＃３  ７２５およびＳＳブロック＃４  ７３０は、ビームトラッキングエリア＃２  ７２７に対応するＳＳブロックの第２のサブセットへとグループ化されることが可能である。図７においては示されていないが、ＷＴＲＵは、複数のビームに関連付けられているＳＳブロックの複数のサブセットを伴って構成されることが可能である。たとえば、ＢＳ７１０がＳＳバースト７０５における６４個のビームをスイープする場合には、ＳＳブロックの８個のサブセットがあることが可能である。このケースにおいては、ＳＳブロックの８個のサブセットのそれぞれは、そのそれぞれのＢＴＡに対応する８個のＳＳブロックを含むことが可能である。ＳＳブロックのセットは、ＳＳブロックの第１のサブセットおよび第２のサブセットを含むＳＳブロックのすべてのサブセットを含むことが可能である。本明細書において使用される際には、ＳＳブロックのセットは、ＳＳブロックのグループと言い換え可能に使用されることが可能である。ＳＳブロックのサブセットは、ＳＳブロックのサブグループと言い換え可能に使用されることが可能である。
【０１２７】
一実施形態においては、ＷＴＲＵは、ページングリソースと、そのページングリソースに関連付けられているビームトラッキングエリア（ＢＴＡ）構成とをＢＳ７１０から受信することが可能である。ＢＴＡ構成は、ＢＴＡ７１７、７２７の数、および（１）ＢＴＡ７１７、７２７と、ＳＳブロック７１５、７２０、７２５、７３０、７３５との間における関連付け情報、（２）ＢＴＡ７１７、７２７と、ＳＳブロックのサブセットとの間における関連付け情報、（３）ＢＴＡ７１７、７２７と、ビーム７４０、７４５、７５０、７５５、７６０との間における関連付け情報、または（４）ＢＴＡ７１７、７２７と、ビーム７４０、７４５、７５０、７５５、７６０（もしくはＳＳブロック７１５、７２０、７２５、７３０、７３５）に関連付けられているページングリソースとの間における関連付け情報を含むことが可能であるが、それらには限定されない。ＢＴＡ構成は、システム情報ブロック（ＳＩＢ）、ＲＲＣメッセージ等などのブロードキャスティングメッセージにおいて送信されることが可能である。ＷＴＲＵは、ＷＴＲＵがアイドルモード（たとえば、ＲＲＣアイドル）または接続モード（たとえば、ＲＲＣ接続）にある間に、ページングリソースおよびＢＴＡ構成を受信することが可能である。
【０１２８】
ＷＴＲＵがページングリソースおよびＢＴＡ構成を受信すると、ＷＴＲＵは、ダウンリンク信号に基づいてビーム７４０、７４５、７５０、７５５、７６０の品質をモニタすることが可能である。たとえば、ビーム７４０、７４５、７５０、７５５、７６０の品質は、ＰＤＣＣＨの基準信号受信電力（ＲＳＲＰ）、受信信号強度インジケータ（ＲＳＳＩ）、基準信号受信品質（ＲＳＲＱ）、信号対干渉雑音比（ＳＩＮＲ）、仮想ブロック誤り率（ＢＬＥＲ）などに基づいて測定されることが可能である。ＷＴＲＵは、ビーム７４０、７４５、７５０、７５５、７６０に関連付けられているすべてのＳＳブロック７１５、７２０、７２５、７３０、７３５に関するビーム品質測定を実行することが可能である。ＷＴＲＵは次いで、ビーム品質測定に基づいてすべてのＳＳブロック７１５、７２０、７２５、７３０、７３５内でＳＳブロックを選択することが可能である。たとえば、ＳＳブロック＃１  ７１５が、すべてのＳＳブロック７１５、７２０、７２５、７３０、７３５の間で最も高いビーム品質を有しているか、または所定のビーム品質要件を満たしている場合には、ＷＴＲＵは、その最良品質のビームのためにＳＳブロック＃１  ７１５を選択することが可能である。ＷＴＲＵは次いで、ＢＴＡ構成に基づいて、選択されたＳＳブロック（または選択されたＳＳブロックを含むＳＳブロックのサブセット）に関連付けられているＢＴＡ番号（すなわち第１のＢＴＡ）を特定することが可能である。たとえば、ＳＳブロック＃１  ７１５がその最も高い品質のビームのために選択された場合には、ＷＴＲＵは、ＳＳブロック＃１  ７１５に関連付けられているページングリソース（すなわちビーム１  ７４０）をモニタするためのＢＴＡ＃１  ７１７を特定することが可能である。代替として、または追加として、ＷＴＲＵが、最も高い品質のビームを含むビームとしてＳＳブロック＃１  ７１５を含むＳＳブロックの第１のサブセットを選択した場合には、ＷＴＲＵは、ＳＳブロック＃１  ７１５およびＳＳブロック＃２  ７２０の両方に関連付けられているページングリソース（すなわちビーム１  ７４０およびビーム２  ７４５）をモニタするためのＢＴＡ＃１  ７１７を特定することが可能である。
【０１２９】
上述されているように、ＢＴＡ番号７１７、７２７を特定した後に、ＷＴＲＵは、１つまたは複数のＳＳブロック７１５、７２０、７２５、７３０、７３５に関連付けられているページングリソース（たとえば、ページングＤＣＩ）をモニタすることが可能である。このケースにおいては、ＷＴＲＵは、特定されたＢＴＡ番号７１７、７２７に対応するＳＳブロック７１５、７２０、７２５、７３０、７３５（またはＳＳブロックのサブセット）をモニタすることによって、ＷＴＲＵがページングリソースに関してモニタする必要があるＳＳブロックの数を低減することが可能である。たとえば、ＷＴＲＵが、ページングリソースをモニタするためのＢＴＡとしてＢＴＡ＃１  ７１７を特定した場合には、ＷＴＲＵは、ＳＳブロック＃１  ７１５およびＳＳブロック＃２  ７２０に関連付けられているＰＤＣＣＨをモニタすることを必要とするだけであることが可能である。ＷＴＲＵが、ＳＳブロック＃１  ７１７またはＳＳブロック＃２  ７２０に関連付けられているＰＤＣＣＨからのＰ−ＲＮＴＩを用いてＤＣＩを受信した場合には、ＷＴＲＵは、そのＤＣＩによって示されているＰＤＳＣＨリソースブロックを復調することが可能である。ＷＴＲＵは次いで、ＤＣＩに関連付けられているＰＤＳＣＨ上で搬送されているページングメッセージ（またはＰＣＨ）をデコードすることが可能である。ＷＴＲＵがモニタする必要があるビーム７４０、７４５、７５０、７５５、７６０、またはＳＳブロック７１５、７２０、７２５、７３０、７３５の数は、ＢＴＡ７１７、７２７を使用することによって低減されるので、ＷＴＲＵは、そのバッテリー消費を節減すること、およびバッテリー持続時間を拡張することが可能である。
【０１３０】
特定されたＢＴＡ番号７１７、７２７に基づいて、選択されたビーム７４０、７４５、７５０、７５５、７６０、または選択されたＳＳブロック７１５、７２０、７２５、７３０、７３５に関連付けられているページングリソースをモニタしている間に、選択されたＳＳブロック７１５、７２０、７２５、７３０、７３５のビーム品質が所定のしきい値を下回るか、または所定のビーム品質要件を満たさない場合には、ＷＴＲＵは、ＢＴＡ更新手順をトリガーして、新たな候補ＢＴＡまたは更新されたＢＴＡをＢＳ７１０に示すことが可能である。たとえば、ＷＴＲＵがページングリソースモニタリングのためにＢＴＡ＃１  ７１７（すなわちＳＳブロック＃１  ７１５およびＳＳブロック＃２  ７２０）を最初に選択したが、ＳＳブロック＃１  ７１５およびＳＳブロック＃２  ７２０に関連付けられているビームの品質が所定のしきい値を下回った場合には、ＷＴＲＵは、ＳＳバースト７０５におけるすべてのＳＳブロック７１５、７２０、７２５、７３０、７３５、またはＳＳブロック７１５、７２０、７２５、７３０、７３５の一部、たとえば近隣のＳＳブロック（たとえば、ＳＳブロック＃３  ７２５およびＳＳブロック＃４  ７３０）に関するビーム品質測定を開始することが可能である。その他のＳＳブロック７１５、７２０、７２５、７３０、７３５に関するビーム品質測定に基づいて、ＷＴＲＵは、ビームの最も高い品質を含む、またはビーム品質要件を満たす別のＳＳブロック（またはＳＳブロックのサブセット）を選択することが可能である。たとえば、ＷＴＲＵが、最も高い品質のビームとしてＳＳブロック＃４  ７３０を選択した場合には、ＷＴＲＵは、ページングリソースモニタリングのために更新されるべきＢＴＡとしてＢＴＡ＃２  ７２７を特定することが可能である。ＷＴＲＵは次いで、更新されたＢＴＡ（すなわちＢＴＡ＃２  ７２７）またはＳＳブロック＃３  ７２５およびＳＳブロック＃４  ７３０に関連付けられているページングリソースをモニタすることが可能である。更新されたＢＴＡに関連付けられているＳＳブロック（すなわちＳＳブロック＃３  ７２５およびＳＳブロック＃４  ７３０）は、ＳＳブロックの第２のサブセットと呼ばれることが可能である。所定のしきい値は、システム情報ブロック（ＳＩＢ）、ＲＲＣメッセージ等などのブロードキャスティングメッセージにおいてＢＳ７１０から受信されることが可能である。
【０１３１】
更新されたＢＴＡ（すなわち第２のＢＴＡ）をＢＳ７１０に示すために、ＷＴＲＵは、ランダムアクセスチャネル（ＲＡＣＨ）手順を使用することが可能である。たとえば、ＷＴＲＵは、更新されたＢＴＡに関連付けられている信号（たとえば、ＰＲＡＣＨプリアンブル）を送信することが可能である。その信号は、更新されたＢＴＡ（たとえば、ＳＳブロックの第２のサブセット）に関連付けられているＳＳブロック７１５、７２０、７２５、７３０、７３５の物理ランダムアクセスチャネル（ＰＲＡＣＨ）リソースを含むことが可能である。ＰＲＡＣＨリソースは、更新されたＢＴＡに関連付けられているＳＳブロック７１５、７２０、７２５、７３０、７３５に関する時間リソースおよび周波数リソースを含むことが可能である。ＰＲＡＣＨリソースは、ＢＳ７１０からのブロードキャスティングメッセージ（たとえば、ＳＩＢ）において受信されるＰＲＡＣＨ構成情報から特定されることが可能である。ＢＳ７１０から受信されるＰＲＡＣＨ構成情報は、ＰＲＡＣＨリソースと、ＳＳブロック７１５、７２０、７２５、７３０、７３５との間における関連付け情報を含むことが可能である。
【０１３２】
ＢＳ７１０が、更新されたＢＴＡ（すなわち第２のＢＴＡ）を示す信号を受信したら、ＢＳ７１０は、どのビームがＷＴＲＵにとって最良品質を有するかを特定すること、およびページングメッセージを送信するために１つまたは複数のビーム７４０、７４５、７５０、７５５、７６０を選択することが可能である。具体的には、ＢＳ７１０は、ＰＤＣＣＨを介してページングリソース（たとえば、ＤＣＩ）を送信するために、更新されたＢＴＡに関連付けられているＳＳブロック（すなわちＳＳブロックの第２のサブセット）を選択することが可能である。更新されたＢＴＡを使用して、ＷＴＲＵは、更新されたＢＴＡに関連付けられているＳＳブロック（すなわちＳＳブロックの第２のサブセット）をモニタすることが可能である。ＷＴＲＵが、更新されたＢＴＡに関連付けられているＰＤＣＣＨからのＰ−ＲＮＴＩを用いてＤＣＩを受信した場合には、ＷＴＲＵは、そのＤＣＩによって示されているＰＤＳＣＨリソースブロックを復調すること、およびそのＰＤＳＣＨ上で搬送されているページングメッセージ（またはＰＣＨ）をデコードすることが可能である。
【０１３３】
上述されているように、ＷＴＲＵは、関連付けられているビームトラッキングエリア（ＢＴＡ）のビーム品質をダウンリンク信号（たとえば、そのＢＴＡに関連付けられているＳＳブロック）に基づいてモニタすることが可能である。具体的には、ＷＴＲＵは、それぞれのＰＯにおける関連付けられているＢＴＡのビーム品質をモニタすることが可能である。ＢＴＡは、１つまたは複数のビーム（たとえば、１つまたは複数のＳＳブロック）を含むことが可能である。ＢＴＡにおけるすべてのビームのビーム品質がしきい値を下回っている場合には、ＷＴＲＵは、ＢＴＡのビーム障害として特定または宣言することが可能である。ビーム品質は、ＢＴＡに関連付けられているＳＳブロックの基準信号受信電力（ＲＳＲＰ）（たとえば、ＳＳブロックにおけるＳＳＳおよび／またはＰＢＣＨから測定されたＲＳＲＰ）などに基づくことが可能である。しきい値は、事前に定義されたまたは所定の値であることが可能である。
【０１３４】
ＷＴＲＵがＢＴＡのビーム障害を特定または宣言した場合には、ＷＴＲＵは、ビーム品質要件を満たすＢＴＡの新たな候補を検索することが可能である。ＢＴＡの新たな候補が見つかった場合には、ＷＴＲＵは、ＢＴＡの新たな候補へ変更することが可能であり、ＷＴＲＵは、ＢＴＡの変更をネットワークに示すことまたは報告することが可能である。ＢＴＡの新たな候補が見つからなかった場合には、ＷＴＲＵは、最初のアクセス手順をトリガーまたは実行することが可能である。
【０１３５】
ＢＴＡ変更表示または通知は、ＰＲＡＣＨリソース、ＷＴＲＵ−ＩＤ、グラントフリーＵＬ送信リソースなどのうちの少なくとも１つに基づいて実行または使用されることが可能である。具体的には、ＰＲＡＣＨリソースのセットが、ＢＴＡ変更表示または通知のために確保されることが可能である。それぞれのＰＲＡＣＨリソースが、ＢＴＡに関連付けられることが可能であり、ＷＴＲＵは、特定または変更されたＢＴＡに関連付けられることが可能であるＰＲＡＣＨリソースを特定することが可能である。ＰＲＡＣＨリソースのそのセットは、ＷＴＲＵの専用であることが可能である。ＰＲＡＣＨリソースのそのセットは、ＢＴＡごとに構成されることも可能である。
【０１３６】
ＷＴＲＵがＢＴＡ変更表示のためにＰＲＡＣＨを送信する際には、ＷＴＲＵ−ＩＤが含まれることまたは示されることが可能である。ＷＴＲＵは、ＰＲＡＣＨに関連付けられているＰＵＳＣＨを送信することが可能であり、そのＰＵＳＣＨは、ＷＴＲＵ−ＩＤを含むことが可能であり、たとえば、そのＷＴＲＵ−ＩＤは、ＩＭＳＩ、ｓ−ＴＭＳＩ、ＩＭＳＩまたはｓ−ＴＭＳＩのモジュロなどであることが可能である。ＰＲＡＣＨに関連付けられているＰＵＳＣＨは、ＢＴＡ変更表示または通知用に構成されているそれぞれのＰＲＡＣＨリソースの専用であることが可能である所定の時間／周波数リソースにおいて送信されることが可能である。
【０１３７】
グラントフリーＵＬ送信リソースのセットが、ＢＴＡ変更表示または通知のために使用されることが可能である。グラントフリーＵＬ送信リソースは、シーケンス（たとえば、ＰＲＡＣＨシーケンス）、データ（たとえば、ＰＵＳＣＨ）、およびアップリンク制御（たとえば、ＰＵＣＣＨ）のうちの少なくとも１つを含むことが可能である。ＷＴＲＵは、ＢＳ（たとえば、ｇＮＢ）の確認をモニタすることが可能である。たとえば、ＷＴＲＵがＢＴＡ変更表示または通知を送信した後に、ＷＴＲＵは、特定または変更されたＢＴＡにおけるＢＴＡ変更の確認に関してＰＤＣＣＨまたはＮＲ−ＰＤＣＣＨをモニタすることが可能である。
【０１３８】
一実施形態においては、ＷＴＲＵに関するビーム関連情報が、ネットワーク（たとえば、ＭＭＥまたはｇＮＢ）に格納されることが可能である。たとえば、ＷＴＲＵがＲＲＣ接続モードからＲＲＣアイドルモードへ切り替えた場合に、ＷＴＲＵに関する最新のビーム関連情報がページングのためにネットワークに格納されることが可能である。最新のビーム関連情報は、ＳＳブロック、ビームＩＤ、またはビームグループＩＤのうちの少なくとも１つを含むことが可能である。ＳＳブロックは、ＢＴＡに関連付けられることが可能である。ＷＴＲＵがページされた場合には、ＭＭＥは、ＷＴＲＵに関するビーム関連情報をページングトラッキングエリア内のｇＮＢに提供することが可能である。
【０１３９】
別の実施形態においては、ＢＳ（たとえば、ｇＮＢ）が、ページング送信に関するビーム報告をトリガーすることが可能である。たとえば、共通のＤＣＩまたはグループ共通のＤＣＩが、すべてのビーム（またはすべてのＢＴＡ）のために使用されることが可能である共通のＰＤＣＣＨまたは共通のＮＲ−ＰＤＣＣＨにおいて送信またはモニタされることが可能であり、そのＤＣＩは、ＷＴＲＵまたはＷＴＲＵのグループからのビーム報告を示すことまたはトリガーすることが可能である。
【０１４０】
ＤＣＩは、ＷＴＲＵまたはＷＴＲＵのグループからのビーム報告をトリガーすることが可能であるビットフィールドを含むことが可能である。ＷＴＲＵのグループは、関連付けられているＳＳブロックに基づいて特定されることが可能である。たとえば、ＳＳブロックに関連付けられているＰＯをモニタしているＷＴＲＵどうしが、ＷＴＲＵのグループとして特定されることが可能である。ＤＣＩがビーム報告をトリガーした場合には、同じＳＳブロックに関連付けられているＰＯをモニタしているＷＴＲＵが、ビームを報告することが可能である。ＰＲＡＣＨリソースのセットが、ビーム報告のために使用されることが可能であり、使用するためのＰＲＡＣＨリソースのセットは、ＤＣＩにおいて示されることが可能である。たとえば、ビーム報告のためのＰＲＡＣＨリソースの１つまたは複数のセットが、事前に構成されることまたは事前に定義されることが可能であり、そのセットのうちの１つが、ビーム報告がトリガーされた際にＤＣＩにおいて示されることが可能である。
【０１４１】
ＤＣＩは、すべてのＷＴＲＵによってモニタされることが可能である共通のページング機会（ＰＯ）においてモニタまたは受信されることも可能である。共通のＰＯの時間／周波数リソースは、ページングサイクルまたはセル固有のパラメータのうちの１つまたは複数に基づいて構成または特定されることが可能である。ページングサイクルは、ブロードキャスティングを介して構成されることが可能である。セル固有のパラメータの例は、セルＩＤ、スロット長さ、スロット番号、フレーム番号などを含むことが可能であるが、それらには限定されない。
【０１４２】
図８は、ページングモニタリングに関するビームトラッキングエリア（ＢＴＡ）を更新するための例示的な手順８００を示している。たとえば、ステップ８０５において、ＷＴＲＵは、同期信号（ＳＳ）ブロックのセットをそれぞれのビームトラッキングエリア（ＢＴＡ）に関連付けるＢＴＡの構成を基地局（ＢＳ）から受信することが可能である。ＳＳブロックのセットは、ＳＳブロックの１つまたは複数のサブセットを含むことが可能である。ＳＳブロックのサブセットは、１つまたは複数のＳＳブロックを含むことが可能である。ＳＳブロックのセット（またはサブセット）におけるＳＳブロックは、ＳＳブロックに関連付けられているプライマリー同期信号（ＰＳＳ）、セカンダリー同期信号（ＳＳＳ）、および物理ブロードキャスティングチャネル（ＰＢＣＨ）を含むことが可能である。ＷＴＲＵは、ＳＳブロックに関連付けられているＰＢＣＨを介して、ＳＳブロック番号などのＳＳブロックの構成と、ＳＳブロックに関連付けられているブロードキャスティングメッセージをさらに受信するためのその後の制御チャネルとを含むマスター情報ブロック（ＭＩＢ）を受信することが可能である。ＢＴＡの構成は、ＢＴＡの数、ＢＴＡのそれぞれとＳＳブロックのそれぞれとの間における関連付け情報、ＢＴＡのそれぞれとＳＳブロックのサブセットのそれぞれとの間における関連付け情報、および／またはＢＴＡとＳＳのセットとの間における関連付け情報を含むことが可能である。ＢＴＡの構成は、マスター情報ブロック（ＭＩＢ）、システム情報ブロック（ＳＩＢ）、ＲＲＣメッセージ等などのブロードキャスティングメッセージにおいて送信されることが可能である。
【０１４３】
ステップ８１０において、ＷＴＲＵは、ＳＳブロックのセットにおけるＳＳブロックに関連付けられているビームの測定に基づいて、ＳＳブロックの第１のサブセットにおける第１のＳＳブロックを選択することが可能である。たとえば、ＷＴＲＵは、ＰＤＣＣＨのＲＳＲＰ、ＲＳＳＩ、ＲＳＲＱ、ＳＩＮＲ、仮想ブロック誤り率（ＢＬＥＲ）などに基づいて、ＳＳブロックのセットにおけるＳＳブロックに関連付けられているビームの品質を測定することが可能である。ビームの最も高い品質を有する、または品質要件を満たすＳＳブロックをＷＴＲＵが見つけ出した場合には、ＷＴＲＵは、そのＳＳブロックを第１のＳＳブロックとして選択することが可能である。第１のＳＳブロックは、ＳＳブロックの第１のサブセットに含まれることが可能である。
【０１４４】
ステップ８１５において、ＷＴＲＵは、ＢＴＡの構成に基づいて、ＳＳブロックの第１のサブセットに関連付けられている第１のＢＴＡを特定することが可能である。たとえば、第１のＳＳブロックが、その最も高い品質のビームのために選択されているので、ＷＴＲＵは、ページングリソースをモニタするためのＢＴＡ（すなわち第１のＢＴＡ）としてＢＴＡの第１のサブセットを特定することが可能である。ＷＴＲＵは、ＢＴＡの構成に基づいて、ＢＴＡの第１のサブセットと第１のＢＴＡとの間における関連付けを認識することが可能である。
【０１４５】
ステップ８２０において、ＷＴＲＵは、第１のＢＴＡに対応するＳＳブロックの第１のサブセットに関連付けられているページングリソース（たとえば、ＤＣＩ）に関して１つまたは複数の物理ダウンリンク制御チャネル（ＰＤＣＣＨ）をモニタすることが可能である。ステップ８２５において、ＳＳブロックの第１のサブセットに関連付けられている少なくとも１つのビームの少なくとも１つの測定された品質が所定のしきい値未満である（またはビーム品質要件を満たしていない）場合には、ＷＴＲＵは、ステップ８３０において、ＳＳブロックの第２のサブセットに関連付けられている第２のＢＴＡ（すなわち更新されたＢＴＡ）を示す信号を基地局（ＢＳ）へ送信することが可能である。ＷＴＲＵは、ＳＳブロックのセットに関連付けられている少なくとも１つのビームの少なくとも１つの測定値に基づいて、ＳＳブロックの第２のサブセットにおける第２のＳＳブロックを特定することが可能である。第２のＳＳブロックは、ＳＳブロックのセットの間で、最も高いビーム品質を有している、または品質要件を満たしているビームに関連付けられることが可能である。しかしながら、ステップ８２５において、ＳＳブロックの第１のサブセットに関連付けられているすべてのビームの測定された品質が所定のしきい値よりも大きい場合には、ＷＴＲＵは、ステップ８２０において、第１のＢＴＡに対応するＳＳブロックの第１のサブセットに関連付けられているページングリソース（たとえば、ＤＣＩ）に関して１つまたは複数のＰＤＣＣＨをモニタし続けることが可能である。
【０１４６】
第２のＢＴＡ（または更新されたＢＴＡ）を示す信号は、第２のＢＴＡに対応するＳＳブロックの第２のサブセットに関連付けられている物理ランダムアクセスチャネル（ＰＲＡＣＨ）リソースを含むことが可能である。第２のＢＴＡに関連付けられているＰＲＡＣＨリソースは、所定の構成（たとえば、ＰＲＡＣＨ構成情報）に基づいて選択されることが可能である。第２のＢＴＡを送信すると、ＷＴＲＵは、ＰＤＣＣＨを介して、第２のＢＴＡに関連付けられている１つまたは複数のページングリソース（たとえば、ページングＤＣＩ）をＢＳから受信することが可能である。１つまたは複数のページングリソースを受信すると、ＷＴＲＵは、１つまたは複数のページングリソースに基づいてページングメッセージ（またはＰＣＨ）をＢＳから受信することが可能である。
【０１４７】
ページングチャネルは、ページングメッセージの送信以外の目的のために使用されている。たとえば、ページングチャネルは、ＳＩ更新、ＥＴＷＳ、ＣＭＡＳ、拡張アクセス制限（ＥＡＢ）等などのシステム情報更新表示のために使用されることが可能である。しかしながら、ビームベースのシステムにおいては、ＳＩ更新は、ビーム共通のＳＩおよびビーム固有のＳＩを含むことが可能である。ビーム固有のＳＩが更新された場合に、すべてのＷＴＲＵに関してＳＩ更新をトリガーすることは、不必要なＷＴＲＵバッテリー消費をもたらす可能性がある。なぜなら、それらのＷＴＲＵは、情報が更新されているビームをモニタしていないからである。システム情報が更新されていないビームをモニタしているＷＴＲＵをウェイクアップしないためには、ビーム共通のＳＩおよびビーム固有のＳＩに関する別個のＳＩ更新表示が必要とされる可能性がある。ＷＴＲＵがビーム共通のＳＩ更新表示を受信した場合には、ＷＴＲＵは、ビーム共通のシステム情報に関する更新されたＳＩを受信することが可能である。ＷＴＲＵがビーム固有のＳＩ更新表示を受信した場合には、ＷＴＲＵは、ビーム固有のシステム情報に関する更新されたＳＩを受信することが可能である。
【０１４８】
一実施形態においては、１つまたは複数のタイプのＳＩ更新表示が使用されることが可能である。たとえば、ビーム共通の情報であることが可能であるＳＩの第１のサブセットを更新するために、第１のタイプのＳＩ更新表示（たとえば、タイプ−１  ＳＩ）が使用されることが可能である。ビーム固有の情報であることが可能であるＳＩの第２のサブセットを更新するために、第２のタイプのＳＩ更新表示（たとえば、タイプ−２  ＳＩ）が使用されることが可能である。
【０１４９】
具体的には、第１のタイプのＳＩ更新表示（たとえば、タイプ−１  ＳＩ）は、共通のＰＯにおいてＤＣＩにおいて送信されることが可能である。第１のタイプのＳＩ更新表示は、ビーム共通のシステム情報を更新するために使用されることが可能であり、ＷＴＲＵは、構成または特定されているビーム固有のＰＯに関して、関連付けられているＳＳブロックにかかわらずにＤＣＩをモニタすることが可能である。共通のＰＯは、ビームスイーピングを使用して送信されることが可能であり、ＤＣＩは、ＳＳバーストにおけるＳＳブロックに対応する１つまたは複数のビームを用いて送信されることが可能である。共通のＰＯは、ビーム固有のＰＯに関する時間／周波数リソースにとって相互に排他的であることが可能である時間／周波数リソースにおいて送信されることも可能である。共通のＰＯに関する時間リソースおよび周波数リソースの周期性は、ブロードキャスティング信号によって明示的に構成されることが可能である。たとえば、時間リソースおよび周波数リソースは、ＳＳバーストの始まりまたは終わりに基づいて示されることが可能である。時間リソースおよび周波数リソースは、ＳＳバーストの始まりもしくは終わりからのオフセット、または特定のＳＳブロック（たとえば、第１のＳＳブロック）を用いて示されることが可能である。それぞれのＳＳブロックは、別々の時間オフセットおよび周波数オフセットを用いて、共通のＰＯに関する同じ時間リソースおよび周波数リソースを示すことが可能である。ＤＣＩがその関連付けられているＰＤＳＣＨスケジューリング情報またはタイプ−１  ＳＩ更新表示を搬送しているかどうかを示すために、ビットフラグがＤＣＩ用に使用されることが可能である。ＤＣＩがタイプ−１  ＳＩ更新表示を搬送している場合には、ＰＤＳＣＨスケジューリング情報がＤＣＩにおいて送信されることは不可能である。
【０１５０】
第２のタイプのＳＩ更新表示（たとえば、タイプ−２  ＳＩ）は、ビーム固有のＰＯにおいてＤＣＩにおいて送信されることが可能である。第２のタイプのＳＩ更新表示は、ビーム固有のＳＩのために使用されることが可能であり、ＷＴＲＵは、ＷＴＲＵがビーム固有のＰＯをモニタすることを決定された場合にＤＣＩをモニタすることが可能である。具体的には、それぞれのＳＳブロックは、ビームに関連付けられることが可能であり、その関連付けられているＰＯを有することが可能であり、タイプ−２  ＳＩ更新表示に関するＤＣＩは、関連付けられているＰＯにおいてモニタまたは受信されることが可能である。ＤＣＩがその関連付けられているＰＤＳＣＨスケジューリング情報またはタイプ−２  ＳＩ更新表示を搬送しているかどうかを示すために、ビットフラグがＤＣＩ用に使用されることが可能である。ＤＣＩがタイプ−２  ＳＩ更新表示を搬送している場合には、ＰＤＳＣＨスケジューリング情報がＤＣＩにおいて送信されることは不可能である。
【０１５１】
別の実施形態においては、共通のＰＯにおけるＤＣＩが、第１のタイプのＳＩ更新表示および第２のタイプのＳＩ更新表示の両方を示すために使用されることが可能である。たとえば、共通のＰＯにおけるＤＣＩは、タイプ−１  ＳＩ更新表示フィールドおよびタイプ−２  ＳＩ更新表示フィールドを含むことが可能である。ＷＴＲＵは、ＤＣＩをモニタして、更新された場合には、対応するＳＩを再取得することが可能である。タイプ−１  ＳＩ更新表示がタイプ−１  ＳＩ更新を示している場合には、すべてのＷＴＲＵが、対応するＳＩを再取得することが可能である。タイプ−２  ＳＩ更新表示がタイプ−２  ＳＩ更新を示している場合には、ＷＴＲＵは、更新されたＳＩが現在のサービングビーム（たとえば、ビーム固有のＰＯに関連付けられているＳＳブロック）に関連付けられているならば、対応するＳＩを再取得することが可能である。
【０１５２】
共通のＰＯにおけるＤＣＩは、タイプ−１  ＳＩ更新表示および／またはタイプ−２  ＳＩ更新表示フィールドを搬送することが可能である。例においては、どのタイプのＳＩ更新表示がＤＣＩにおいて送信されているかを示すために、ＲＮＴＩが使用されることが可能である。たとえば、タイプ−１  ＳＩ更新表示が送信されている場合には、ＤＣＩのＣＲＣをスクランブルするために第１のＲＮＴＩが使用されることが可能である。タイプ−２  ＳＩ更新表示が送信されている場合には、ＤＣＩのＣＲＣをスクランブルするために第２のＲＮＴＩが使用されることが可能である。別の例においては、タイプ−１  ＳＩ更新表示が、ビームまたはビームトラッキングエリア（ＢＴＡ）に関連付けられているタイプ−２  ＳＩ更新表示とともにＤＣＩにおいて送信されることが可能である。たとえば、１つまたは複数のタイプ−２  ＳＩ更新表示が、１つまたは複数のビームまたはＢＴＡのために使用されることが可能である。加えて、ＤＣＩは、ＲＮＴＩ、タイプ−１  ＳＩ更新表示などのうちの少なくとも１つを示されることが可能であるビームまたはＢＴＡのタイプ−２  ＳＩ更新表示を搬送することが可能である。ＤＣＩのＣＲＣをスクランブルするために使用されることが可能であるＲＮＴＩは、どのビームまたはＢＴＡがタイプ−２  ＳＩ更新表示に関連付けられているかを示すことが可能である。ビームまたはＢＴＡは、ＳＳブロックに関連付けられることが可能である。タイプ−１  ＳＩ更新表示は、どのビームまたはＢＴＡがタイプ−２  ＳＩ更新表示に関連付けられているかにかかわらずにＤＣＩに配置されることが可能である。
【０１５３】
特徴および要素が特定の組合せで上述されているが、それぞれの特徴または要素は、単独で、またはその他の特徴および要素との任意の組合せで使用されることが可能であるということを当技術分野における標準的な技術者なら理解するであろう。加えて、本明細書において記述されている方法は、コンピュータまたはプロセッサによって実行するためにコンピュータ可読メディアに組み込まれているコンピュータプログラム、ソフトウェア、またはファームウェアで実施されることが可能である。コンピュータ可読メディアの例は、（有線接続またはワイヤレス接続を介して送信される）電子信号、およびコンピュータ可読ストレージメディアを含む。コンピュータ可読ストレージメディアの例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気メディア、光磁気メディア、ならびに、ＣＤ−ＲＯＭディスクおよびデジタル多用途ディスク（ＤＶＤ）などの光メディアを含むが、それらには限定されない。ＷＴＲＵ、ＵＥ、端末、基地局、ＲＮＣ、または任意のホストコンピュータにおいて使用するための無線周波数トランシーバを実施するために、ソフトウェアに関連付けられているプロセッサが使用されることが可能である。
【図１Ａ】
2020519130.tif 000004
【図１Ｂ】
2020519130.tif 000005
【図１Ｃ】
2020519130.tif 000006
【図１Ｄ】
2020519130.tif 000007
【図２Ａ】
2020519130.tif 000008
【図２Ｂ】
2020519130.tif 000009
【図３】
2020519130.tif 000010
【図４】
2020519130.tif 000011
【図５】
2020519130.tif 000012
【図６】
2020519130.tif 000013
【図７】
2020519130.tif 000014
【図８】
2020519130.tif 000015
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
ワイヤレス送信受信ユニット（ＷＴＲＵ）において用いる方法であって、
第１のビームトラッキングエリア（ＢＴＡ）に対応する同期信号（ＳＳ）ブロックの第１のサブセットに関連付けられているページングリソースに関して１つまたは複数の物理ダウンリンク制御チャネル（ＰＤＣＣＨ）をモニタすることと、
ＳＳブロックの前記第１のサブセットに関連付けられている少なくとも１つのビームの少なくとも１つの測定値が所定のしきい値未満であるという条件で、基地局（ＢＳ）へ、ＳＳブロックの第２のサブセットに関連付けられている第２のＢＴＡを示す信号を送信することと
を含み、
ＳＳブロックのセットは、ＳＳブロックの前記第１のサブセットおよびＳＳブロックの前記第２のサブセットを含む、方法。
【請求項２】
前記ＢＳから、ＳＳブロックの前記セットのそれぞれのサブセットと前記ＢＴＡのそれぞれとの間の関連付け情報を含むＢＴＡの構成を受信することと、
ＳＳブロックの前記セットに関連付けられている少なくとも１つのビームの少なくとも１つの測定値に基づいて、ＳＳブロックの前記第１のサブセットにおける第１のＳＳブロックを選択することと、
ＢＴＡの前記構成に基づいて、ＳＳブロックの前記第１のサブセットに関連付けられている前記第１のＢＴＡを特定することと
をさらに含む、請求項１に記載の方法。
【請求項３】
前記信号は、前記第２のＢＴＡに対応するＳＳブロックの前記第２のサブセットに関連付けられている物理ランダムアクセスチャネル（ＰＲＡＣＨ）リソースを含む、請求項１に記載の方法。
【請求項４】
ＳＳブロックの前記セットに関連付けられている少なくとも１つのビームの少なくとも１つの測定値に基づいて、ＳＳブロックの前記第２のサブセットにおける第２のＳＳブロックを特定することと、
所定の構成に基づいて、前記第２のＢＴＡに関連付けられている前記ＰＲＡＣＨリソースを選択することと
をさらに含む、請求項１に記載の方法。
【請求項５】
ＳＳブロックの前記セットにおけるＳＳセットは、前記ＳＳブロックに関連付けられている、プライマリー同期信号（ＰＳＳ）、セカンダリー同期信号（ＳＳＳ）および物理ブロードキャスティングチャネル（ＰＢＣＨ）を含む、請求項１に記載の方法。
【請求項６】
前記ＳＳブロックに関連付けられている前記ＰＢＣＨを介して、前記ＳＳブロックの構成を含むマスター情報ブロック（ＭＩＢ）を受信すること
をさらに含む、請求項５に記載の方法。
【請求項７】
前記ＳＳブロックの前記構成はＳＳブロック番号を含む、請求項６に記載の方法。
【請求項８】
前記ＢＳから、前記第２のＢＴＡに関連付けられている１つまたは複数のページングリソースを受信することと、
前記ＢＳから、前記１つまたは複数のページングリソースに基づいて、ページングメッセージを受信することと
をさらに含む、請求項１に記載の方法。
【請求項９】
前記１つまたは複数のページングリソースは１つまたは複数のダウンリンク制御情報（ＤＣＩ）に含まれている、請求項８に記載の方法。
【請求項１０】
前記第２のＢＴＡを示す前記信号は、ＰＲＡＣＨプリアンブルである、請求項１に記載の方法。
【請求項１１】
ワイヤレス送信受信ユニット（ＷＴＲＵ）であって、
第１のビームトラッキングエリア（ＢＴＡ）に対応する同期信号（ＳＳ）ブロックの第１のサブセットに関連付けられているページングリソースに関して１つまたは複数の物理ダウンリンク制御チャネル（ＰＤＣＣＨ）をモニタするように構成されたプロセッサと、
ＳＳブロックの前記第１のサブセットに関連付けられている少なくとも１つのビームの少なくとも１つの測定値が所定のしきい値未満であるという条件で、基地局（ＢＳ）へ、ＳＳブロックの第２のサブセットに関連付けられている第２のＢＴＡを示す信号を送信するように構成された送信機と
を備え、
ＳＳブロックのセットは、ＳＳブロックの前記第１のサブセットおよびＳＳブロックの前記第２のサブセットを含む、ＷＴＲＵ。
【請求項１２】
前記ＢＳから、ＳＳブロックの前記セットのそれぞれのサブセットと前記ＢＴＡのそれぞれとの間の関連付け情報を含むＢＴＡの構成を受信するように構成された受信機をさらに備え、
前記プロセッサは、
ＳＳブロックの前記セットに関連付けられている少なくとも１つのビームの少なくとも１つの測定値に基づいて、ＳＳブロックの前記第１のサブセットにおける第１のＳＳブロックを選択し、
ＢＴＡの前記構成に基づいて、ＳＳブロックの前記第１のサブセットに関連付けられている前記第１のＢＴＡを特定する
ようにさらに構成されている、請求項１１に記載のＷＴＲＵ。
【請求項１３】
前記信号は、前記第２のＢＴＡに対応するＳＳブロックの前記第２のサブセットに関連付けられている物理ランダムアクセスチャネル（ＰＲＡＣＨ）リソースを含む、請求項１１に記載のＷＴＲＵ。
【請求項１４】
前記プロセッサは、
ＳＳブロックの前記セットに関連付けられている少なくとも１つのビームの少なくとも１つの測定値に基づいて、ＳＳブロックの前記第２のサブセットにおける第２のＳＳブロックを特定し、
所定の構成に基づいて、前記第２のＢＴＡに関連付けられている前記ＰＲＡＣＨリソースを選択する
ようにさらに構成されている、請求項１１に記載のＷＴＲＵ。
【請求項１５】
ＳＳブロックの前記セットにおけるＳＳセットは、前記ＳＳブロックに関連付けられている、プライマリー同期信号（ＰＳＳ）、セカンダリー同期信号（ＳＳＳ）および物理ブロードキャスティングチャネル（ＰＢＣＨ）を含む、請求項１１に記載のＷＴＲＵ。
【請求項１６】
前記ＳＳブロックに関連付けられている前記ＰＢＣＨを介して、前記ＳＳブロックの構成を含むマスター情報ブロック（ＭＩＢ）を受信するように構成された受信機
をさらに備えた、請求項１５に記載のＷＴＲＵ。
【請求項１７】
前記ＳＳブロックの前記構成はＳＳブロック番号を含む、請求項１６に記載のＷＴＲＵ。
【請求項１８】
前記ＢＳから、前記第２のＢＴＡに関連付けられている１つまたは複数のページングリソースを受信し、
前記ＢＳから、前記１つまたは複数のページングリソースに基づいて、ページングメッセージを受信する
ように構成された受信機をさらに備えた、請求項１１に記載のＷＴＲＵ。
【請求項１９】
前記１つまたは複数のページングリソースは１つまたは複数のダウンリンク制御情報（ＤＣＩ）に含まれている、請求項１８に記載のＷＴＲＵ。
【請求項２０】
前記第２のＢＴＡを示す前記信号は、ＰＲＡＣＨプリアンブルである、請求項１１に記載のＷＴＲＵ。
【国際調査報告】
2020519130.tif 000016
2020519130.tif 000017
2020519130.tif 000018